(57)【特許請求の範囲】
【請求項１】
低電力基地局において動作可能なワイヤレス通信の方法であって、
前記低電力基地局が非関連ユーザによる使用のための対応可能な余剰容量を含むと決定することと、
前記低電力基地局のオープンアクセスが隣接マクロセルへの寄与をもたらすと決定することと、
前記低電力基地局によって提供されるエアインターフェースへのアクセスを、前記低電力基地局に関連付けられたＵＥのセットの外部のユーザ機器（ＵＥ）に提供すること、ここにおいて、前記ユーザ機器（ＵＥ）は、前記隣接マクロセルに関連付けられる、と、
前記エアインターフェースへのアクセスの前記提供に応答してインセンティブクレジットを受信することと
を備える、方法。
【請求項２】
前記低電力基地局において前記対応可能な余剰容量が存在すると前記決定することは、
閾値よりも大きい量の余剰バックホール容量が、前記低電力セルにとって利用可能であると決定することを備える、
請求項１に記載の方法。
【請求項３】
前記低電力基地局において前記対応可能な余剰容量が存在すると前記決定することは、
前記エアインターフェースへの干渉は、前記低電力基地局に関連付けられた前記ＵＥのセットの外部の前記ＵＥに対する、前記エアインターフェースへのアクセスの前記提供によって低減されると決定することを備える、
請求項１に記載の方法。
【請求項４】
前記隣接マクロセルにおいて前記対応可能な余剰容量が存在すると前記決定することは、
前記ＵＥを前記隣接マクロセルから前記低電力基地局にオフロードすることが、前記隣接マクロセルにおける輻輳または干渉を、所定の閾値よりも大きい量だけ低減すると決定することを備える、
請求項１に記載の方法。
【請求項５】
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
請求項１に記載の方法。
【請求項６】
前記インセンティブクレジットは、少なくとも部分的には、前記ＵＥが関連付けられる前記低電力基地局によって決定されたインセンティブを備える、
請求項１に記載の方法。
【請求項７】
前記インセンティブクレジットは、別の低電力基地局へのアクセスを可能にするために、前記低電力基地局に関連付けられた前記ＵＥのセットのための優先されるスケジューリングまたは前記低電力基地局に関連付けられた前記ＵＥのセットのための干渉緩和を備える、
請求項６に記載の方法。
【請求項８】
前記インセンティブクレジットは、前記エアインターフェースへのアクセスの前記提供によって与えられる、前記隣接マクロセルに対応するネットワークへの寄与の量の関数である量にある、
請求項１に記載の方法。
【請求項９】
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
請求項８に記載の方法。
【請求項１０】
前記インセンティブクレジットは、３ＧＰＰリリース１０以降の仕様において定義される拡張セル間干渉協調（ｅＩＣＩＣ）特徴を可能にするための認可を備える、
請求項１に記載の方法。
【請求項１１】
前記インセンティブクレジットは、前記低電力基地局のセルカバレージエリアの少なくとも一部において追加無線リソースを使用するための認可を備える、
請求項１に記載の方法。
【請求項１２】
前記インセンティブクレジットは、３ＧＰＰリリース１０以降の仕様において定義されるセル範囲拡大特徴を可能にするための認可を備える、
請求項１に記載の方法。
【請求項１３】
低電力基地局へのアクセスの供給をインセンティブするための方法であって、
近接マクロセルから、１つまたは複数のユーザ機器（ＵＥ）のリストを受信することと、
低電力基地局から、前記低電力基地局における、アクセスの付与に対応する使用情報を、前記１つまたは複数のＵＥのうちのＵＥに送信すること、前記アクセスの付与は、前記近接マクロセルへの寄与をもたらす、と、
前記ＵＥへのアクセスの前記付与に応答して、インセンティブクレジットを受信することと
を備える、方法。
【請求項１４】
ワイヤレス通信のために構成された低電力基地局であって、
前記低電力基地局が非関連ユーザによる使用のための対応可能な余剰容量を含むと決定するための手段と、
前記低電力基地局のオープンアクセスが隣接マクロセルへの寄与をもたらすと決定するための手段と、
前記低電力基地局によって提供されるエアインターフェースへのアクセスを、前記低電力基地局に関連付けられたＵＥのセットの外部のユーザ機器（ＵＥ）に提供するための手段、ここにおいて、前記ユーザ機器（ＵＥ）は、前記隣接マクロセルに関連付けられる、と、
前記エアインターフェースへのアクセスの前記提供に応答してインセンティブクレジットを受信するための手段と
を備える、低電力基地局。
【請求項１５】
前記低電力基地局において前記対応可能な余剰容量が存在すると決定するための前記手段は、
閾値よりも大きい量の余剰バックホール容量が、前記低電力セルにとって利用可能であると決定するための手段を備える、
請求項１４に記載の低電力基地局。
【請求項１６】
前記低電力基地局において前記対応可能な余剰容量が存在すると決定するための前記手段は、
前記エアインターフェースへの干渉が、前記低電力基地局に関連付けられた前記ＵＥのセットの外部の前記ＵＥに対する、前記エアインターフェースへのアクセスの前記提供によって低減されると決定するための手段を備える、
請求項１４に記載の低電力基地局。
【請求項１７】
前記隣接マクロセルにおいて前記対応可能な余剰容量が存在すると決定するための前記手段は、
前記ＵＥを前記隣接マクロセルから前記低電力基地局にオフロードすることは、前記隣接マクロセルにおける輻輳または干渉を、所定の閾値よりも大きい量だけ低減すると決定するための手段を備える、
請求項１４に記載の低電力基地局。
【請求項１８】
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
請求項１４に記載の低電力基地局。
【請求項１９】
前記インセンティブクレジットは、少なくとも部分的には、前記ＵＥが関連付けられる前記低電力基地局によって決定されたインセンティブを備える、
請求項１４に記載の低電力基地局。
【請求項２０】
前記インセンティブクレジットは、別の低電力基地局へのアクセスを可能にするために、前記低電力基地局に関連付けられた前記ＵＥのセットのための優先されるスケジューリングまたは前記低電力基地局に関連付けられた前記ＵＥのセットのための干渉緩和を備える、
請求項１９に記載の低電力基地局。
【請求項２１】
前記インセンティブクレジットは、前記エアインターフェースへのアクセスの前記提供によって与えられる、前記隣接マクロセルに対応するネットワークへの寄与の量の関数である量にある、
請求項１４に記載の低電力基地局。
【請求項２２】
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
請求項２１に記載の低電力基地局。
【請求項２３】
前記インセンティブクレジットは、３ＧＰＰリリース１０以降の仕様において定義される拡張セル間干渉協調（ｅＩＣＩＣ）特徴を可能にするための認可を備える、
請求項１４に記載の低電力基地局。
【請求項２４】
前記インセンティブクレジットは、前記低電力基地局のセルカバレージエリアの少なくとも一部において追加無線リソースを使用するための認可を備える、
請求項１４に記載の低電力基地局。
【請求項２５】
前記インセンティブクレジットは、３ＧＰＰリリース１０以降の仕様において定義されるセル範囲拡大特徴を可能にするための認可を備える、
請求項１４に記載の低電力基地局。
【請求項２６】
低電力基地局へのアクセスの供給をインセンティブするために構成された前記低電力基地局であって、
近接マクロセルから、１つまたは複数のユーザ機器（ＵＥ）のリストを受信するための手段と、
低電力基地局から、前記低電力基地局における、アクセスの付与に対応する使用情報を、前記１つまたは複数のＵＥのうちのＵＥに送信するための手段、前記アクセスの付与は、前記近接マクロセルへの寄与をもたらす、と、
前記ＵＥへのアクセスの前記付与に応答して、インセンティブクレジットを受信するための手段と
を備える、低電力基地局。
【請求項２７】
ワイヤレス通信のために構成された低電力基地局であって、
少なくとも１つのプロセッサと、
前記少なくとも１つのプロセッサに通信可能に結合されたメモリと、
エアインターフェースを介して１つまたは複数のユーザ機器（ＵＥ）と通信するための、前記少なくとも１つのプロセッサに通信可能に結合された通信インターフェースとを備え、
ここにおいて、前記少なくとも１つのプロセッサは、
前記低電力基地局が非関連ユーザによる使用のための対応可能な余剰容量を含むと決定することと、
前記低電力基地局のオープンアクセスが隣接マクロセルへの寄与をもたらすと決定することと、
前記エアインターフェースへのアクセスを、前記低電力基地局に関連付けられたＵＥのセットの外部のＵＥに提供すること、ここにおいて、前記ＵＥは、前記隣接マクロセルに関連付けられる、と、
前記エアインターフェースへのアクセスの前記提供に応答してインセンティブクレジットを受信することと
を行うように構成される、低電力基地局。
【請求項２８】
前記低電力基地局において前記対応可能な余剰容量が存在すると決定するように構成された前記少なくとも１つのプロセッサは、閾値よりも大きい量の余剰バックホール容量が、前記低電力セルにとって利用可能であると決定することを行うようにさらに構成される、
請求項２７に記載の低電力基地局。
【請求項２９】
前記低電力基地局において前記対応可能な余剰容量が存在すると決定するように構成された前記少なくとも１つのプロセッサは、前記エアインターフェースへの干渉が、前記低電力基地局に関連付けられた前記ＵＥのセットの外部の前記ＵＥに対する、前記エアインターフェースへのアクセスの前記提供によって低減されると決定することを行うようにさらに構成される、
請求項２７に記載の低電力基地局。
【請求項３０】
前記隣接マクロセルにおいて前記対応可能な余剰容量が存在すると決定するように構成された前記少なくとも１つのプロセッサは、前記ＵＥを前記隣接マクロセルから前記低電力基地局にオフロードすることが、前記隣接マクロセルにおける輻輳または干渉を、所定の閾値よりも大きい量だけ低減すると決定することを行うようにさらに構成される、
請求項２７に記載の低電力基地局。
【請求項３１】
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
請求項２７に記載の低電力基地局。
【請求項３２】
前記インセンティブクレジットは、少なくとも部分的には、前記ＵＥが関連付けられる前記低電力基地局によって決定されたインセンティブを備える、
請求項２７に記載の低電力基地局。
【請求項３３】
前記インセンティブクレジットは、別の低電力基地局へのアクセスを可能にするために、前記低電力基地局に関連付けられた前記ＵＥのセットのための優先されるスケジューリングまたは前記低電力基地局に関連付けられた前記ＵＥのセットのための干渉緩和を備える、
請求項３２に記載の低電力基地局。
【請求項３４】
前記インセンティブクレジットは、前記エアインターフェースへのアクセスの前記提供によって与えられる、前記隣接マクロセルに対応するネットワークへの寄与の量の関数である量にある、
請求項２７に記載の低電力基地局。
【請求項３５】
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
請求項３４に記載の低電力基地局。
【請求項３６】
前記インセンティブクレジットは、３ＧＰＰリリース１０以降の仕様において定義される拡張セル間干渉協調（ｅＩＣＩＣ）特徴を可能にするための認可を備える、
請求項２７に記載の低電力基地局。
【請求項３７】
前記インセンティブクレジットは、前記低電力基地局のセルカバレージエリアの少なくとも一部において追加無線リソースを使用するための認可を備える、
請求項２７に記載の低電力基地局。
【請求項３８】
前記インセンティブクレジットは、３ＧＰＰリリース１０以降の仕様において定義されるセル範囲拡大特徴を可能にするための認可を備える、
請求項２７に記載の低電力基地局。
【請求項３９】
低電力基地局へのアクセスの供給をインセンティブするために構成された前記低電力基地局であって、
少なくとも１つのプロセッサと、
前記少なくとも１つのプロセッサに通信可能に結合されたメモリと、
エアインターフェースを介して１つまたは複数のユーザ機器（ＵＥ）と通信するための、前記少なくとも１つのプロセッサに通信可能に結合された通信インターフェースと、
１つまたは複数の外部低電力基地局と通信するためのフェムト内通信インターフェースとを備え、
ここにおいて、前記少なくとも１つのプロセッサは、
近接マクロセルから、１つまたは複数のユーザ機器（ＵＥ）のリストを受信することと、
前記低電力基地局から、前記低電力基地局における、アクセスの付与に対応する使用情報を、前記１つまたは複数のＵＥのうちのＵＥに送信すること、前記アクセスの付与は、前記近接マクロセルへの寄与をもたらす、と、
前記ＵＥへのアクセスの前記付与に応答して、インセンティブクレジットを受信することと
を行うように構成される、低電力基地局。
【請求項４０】
ワイヤレス通信のために構成された低電力基地局において動作可能な非一時的なコンピュータ可読記憶媒体であって、
コンピュータに、前記低電力基地局が非関連ユーザによる使用のための対応可能な余剰容量を含むと決定させるための命令と、
コンピュータに、前記低電力基地局のオープンアクセスが隣接マクロセルへの寄与をもたらすと決定させるための命令と、
コンピュータに、エアインターフェースへのアクセスを、前記低電力基地局に関連付けられたＵＥのセットの外部のＵＥに提供させるための命令、ここにおいて、前記ＵＥは、前記隣接マクロセルに関連付けられる、と、
コンピュータに、前記エアインターフェースへのアクセスの前記提供に応答してインセンティブクレジットを受信させるための命令と
を備える、非一時的なコンピュータ可読記憶媒体。
【請求項４１】
コンピュータに、前記低電力基地局において前記対応可能な余剰容量が存在すると決定させるための前記命令は、コンピュータに、閾値よりも大きい量の余剰バックホール容量が、前記低電力セルにとって利用可能であると決定させるための命令を備える、
請求項４０に記載の非一時的なコンピュータ可読記憶媒体。
【請求項４２】
コンピュータに、前記低電力基地局において前記対応可能な余剰容量が存在すると決定させるための前記命令は、コンピュータに、前記エアインターフェースへの干渉が、前記低電力基地局に関連付けられた前記ＵＥのセットの外部の前記ＵＥに対する、前記エアインターフェースへのアクセスの前記提供によって低減されると決定させるための命令を備える、
請求項４０に記載の非一時的なコンピュータ可読記憶媒体。
【請求項４３】
コンピュータに、前記隣接マクロセルにおいて前記対応可能な余剰容量が存在すると決定させるための前記命令は、コンピュータに、前記ＵＥを前記隣接マクロセルから前記低電力基地局にオフロードすることは、前記隣接マクロセルにおける輻輳または干渉を、所定の閾値よりも大きい量だけ低減すると決定させるための命令を備える、
請求項４０に記載の非一時的なコンピュータ可読記憶媒体。
【請求項４４】
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
請求項４０に記載の非一時的なコンピュータ可読記憶媒体。
【請求項４５】
前記インセンティブクレジットは、少なくとも部分的には、前記ＵＥが関連付けられる前記低電力基地局によって決定されたインセンティブを備える、
請求項４０に記載の非一時的なコンピュータ可読記憶媒体。
【請求項４６】
前記インセンティブクレジットは、別の低電力基地局へのアクセスを可能にするために、前記低電力基地局に関連付けられた前記ＵＥのセットのための優先されるスケジューリングまたは前記低電力基地局に関連付けられた前記ＵＥのセットのための干渉緩和を備える、
請求項４５に記載の非一時的なコンピュータ可読記憶媒体。
【請求項４７】
前記インセンティブクレジットは、前記エアインターフェースへのアクセスの前記提供によって与えられる、前記隣接マクロセルに対応するネットワークへの寄与の量の関数である量にある、
請求項４０に記載の非一時的なコンピュータ可読記憶媒体。
【請求項４８】
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
請求項４７に記載の非一時的なコンピュータ可読記憶媒体。
【請求項４９】
前記インセンティブクレジットは、３ＧＰＰリリース１０以降の仕様において定義される拡張セル間干渉協調（ｅＩＣＩＣ）特徴を可能にするための認可を備える、
請求項４０に記載の非一時的なコンピュータ可読記憶媒体。
【請求項５０】
前記インセンティブクレジットは、前記低電力基地局のセルカバレージエリアの少なくとも一部において追加無線リソースを使用するための認可を備える、
請求項４０に記載の非一時的なコンピュータ可読記憶媒体。
【請求項５１】
前記インセンティブクレジットは、３ＧＰＰリリース１０以降の仕様において定義されるセル範囲拡大特徴を可能にするための認可を備える、
請求項４０に記載の非一時的なコンピュータ可読記憶媒体。
【請求項５２】
低電力基地局へのアクセスの供給をインセンティブするために構成された前記低電力基地局において動作可能な非一時的なコンピュータ可読記憶媒体であって、
コンピュータに、近接マクロセルから、１つまたは複数のユーザ機器（ＵＥ）のリストを受信させるための命令と、
コンピュータに、低電力基地局から、前記低電力基地局における、アクセスの付与に対応する使用情報を、前記１つまたは複数のＵＥのうちのＵＥに送信させるための命令、前記アクセスの付与は、前記近接マクロセルへの寄与をもたらす、と、
コンピュータに、前記ＵＥへのアクセスの前記付与に応答して、インセンティブクレジットを受信させるための命令と
を備える、非一時的なコンピュータ可読記憶媒体。
【発明の詳細な説明】
【関連出願】
【０００１】
優先権の主張  
[0001]本特許出願は、本出願の譲受人に譲渡され、以下にその全体が完全に記載されるかのように、すべての適用可能な目的のために参照により本明細書に明確に組み込まれる、２０１３年３月７日に出願された「Ａｐｐａｒａｔｕｓ，Ｍｅｔｈｏｄ，ａｎｄ  Ｓｙｓｔｅｍ  ｆｏｒ  Ｉｎｃｅｎｔｉｖｉｚｉｎｇ  Ｏｐｅｎ  Ａｃｃｅｓｓ  ｔｏ  Ｃｌｏｓｅｄ  Ｓｕｂｓｃｒｉｂｅｒ  Ｇｒｏｕｐ  Ｌｏｗ−Ｐｏｗｅｒ  Ｂａｓｅ  Ｓｔａｔｉｏｎｓ」と題する非仮出願第１３／７８９，６５０号の優先権を主張する。
【技術分野】
【０００２】
[0002]本開示の態様は概して、ワイヤレス通信システムに関し、より詳細には、クローズド加入者グループ低電力基地局を含む異種ネットワークに関する。
【背景技術】
【０００３】
[0003]ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって、複数のユーザのための通信をサポートする。
【０００４】
[0004]最近、異種ネットワークは、鉄道の駅、トンネル、オフィスビル、および家庭などの、他の方法ではカバーすることが困難なエリアにおいてワイヤレスカバレージを改善するであろうという期待から、強い関心領域になっている。異種ネットワークには、従来の高出力マクロセル、ならびに、異なる容量、カバレージエリア、および電源能力を有する、マイクロセル、ピコセル、およびフェムトセルなどの様々な低電力ノードまたは小型セルが含まれる。
【０００５】
[0005]モバイルブロードバンドアクセスに対する要望が増し続けるにつれて、研究開発は、モバイルブロードバンドアクセスに対する高まる要望を満たすためだけでなく、モバイル通信によるユーザエクスペリエンスを進化させ強化させるためにも、異種ネットワーク技術を進化させ続けている。
【発明の概要】
【０００６】
[0006]以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００７】
[0007]概して、低電力基地局の所有者が、自分の基地局を、近くの他の所有者に使わせるための様々なインセンティブ方式を提供し、近くのマクロセルからの何人かのユーザのオフローディングを可能にし、したがって全体的ネットワーク性能を向上するのを助ける様々な装置および方法について開示する。たとえば、低電力基地局における共有機会が隣接マクロセルにおける共有機会と重複するとき、「ウィンウィン」シナリオが存在する場合がある。この重複の間、低電力基地局が、そのエアインターフェースへのアクセスを、低電力基地局に関連付けられたＵＥのセットの外部の１つまたは複数のＵＥに提供すると、インセンティブクレジットが受け取られ得る。インセンティブクレジットは、様々な形をとることができ、いくつかの例では、エアインターフェースへのアクセスの供給から生じる、ネットワークへの寄与の量に応じた量であってよい。
【０００８】
[0008]一態様では、本開示は、低電力基地局で動作可能なワイヤレス通信の方法を提供する。ここで、この方法は、低電力基地局において共有機会が存在すると決定するステップと、隣接マクロセルにおいて共有機会が存在すると決定するステップと、低電力基地局によって提供されるエアインターフェースへのアクセスを、低電力基地局に関連付けられたＵＥのセットの外部のユーザ機器（ＵＥ）に提供するステップと、エアインターフェースへのアクセスの提供に応答してインセンティブクレジットを受信するステップとを含む。
【０００９】
[0009]本開示の別の態様は、低電力基地局へのアクセスの供給を奨励するための方法を提供する。ここで、この方法は、第１の低電力基地局から、第１の低電力基地局に関連付けられた１つまたは複数のＵＥのリストを受信するステップと、第２の低電力基地局から、第２の低電力基地局における、アクセスの付与に対応する使用情報を、第１の低電力基地局に関連付けられた１つまたは複数のＵＥのうちのＵＥに送信するステップと、第１の低電力基地局に関連付けられたＵＥに対するアクセスの付与に応答して、インセンティブクレジットを受信するステップとを含む。
【００１０】
[0010]本開示の別の態様は、低電力基地局において共有機会が存在すると決定するための手段と、隣接マクロセルにおいて共有機会が存在すると決定するための手段と、低電力基地局によって提供されるエアインターフェースへのアクセスを、低電力基地局に関連付けられたＵＥのセットの外部のユーザ機器（ＵＥ）に提供するための手段と、エアインターフェースへのアクセスの提供に応答してインセンティブクレジットを受信するための手段とを含む、ワイヤレス通信のために構成された低電力基地局を提供する。
【００１１】
[0011]本開示の別の態様は、第１の低電力基地局から、第１の低電力基地局に関連付けられた１つまたは複数のＵＥのリストを受信するための手段と、第２の低電力基地局から、第２の低電力基地局における、アクセスの付与に対応する使用情報を、第１の低電力基地局に関連付けられた１つまたは複数のＵＥのうちのＵＥに送信するための手段と、第１の低電力基地局に関連付けられたＵＥに対する、アクセスの付与に応答して、インセンティブクレジットを受信するための手段とを含む、低電力基地局へのアクセスの供給を奨励するために構成された低電力基地局を提供する。
【００１２】
[0012]本開示の別の態様は、少なくとも１つのプロセッサと、少なくとも１つのプロセッサに通信可能に結合されたメモリと、エアインターフェースを介して１つまたは複数のユーザ機器（ＵＥ）と通信するための、少なくとも１つのプロセッサに通信可能に結合された通信インターフェースとを含む、ワイヤレス通信のために構成された低電力基地局を提供する。ここで、少なくとも１つのプロセッサは、低電力基地局において共有機会が存在すると決定することと、隣接マクロセルにおいて共有機会が存在すると決定することと、エアインターフェースへのアクセスを、低電力基地局に関連付けられたＵＥのセットの外部のＵＥに提供することと、エアインターフェースへのアクセスの提供に応答してインセンティブクレジットを受信することとを行うように構成される。
【００１３】
[0013]本開示の別の態様は、少なくとも１つのプロセッサと、少なくとも１つのプロセッサに通信可能に結合されたメモリと、エアインターフェースを介して１つまたは複数のユーザ機器（ＵＥ）と通信するための、少なくとも１つのプロセッサに通信可能に結合された通信インターフェースと、１つまたは複数の外部低電力基地局と通信するためのフェムト内通信インターフェースとを含む、低電力基地局へのアクセスの供給をインセンティブするために構成された低電力基地局を提供する。ここで、少なくとも１つのプロセッサは、第１の低電力基地局から、第１の低電力基地局に関連付けられた１つまたは複数のＵＥのリストを受信することと、第２の低電力基地局から、第２の低電力基地局における、アクセスの付与に対応する使用情報を、第１の低電力基地局に関連付けられた１つまたは複数のＵＥのうちのＵＥに送信することと、第１の低電力基地局に関連付けられたＵＥに対する、アクセスの付与に応答して、インセンティブクレジットを受信することとを行うように構成される。
【００１４】
[0014]本開示の別の態様は、コンピュータに、低電力基地局において共有機会が存在すると決定させるための命令と、コンピュータに、隣接マクロセルにおいて共有機会が存在すると決定させるための命令と、コンピュータに、エアインターフェースへのアクセスを、低電力基地局に関連付けられたＵＥのセットの外部のＵＥに提供させるための命令と、コンピュータに、エアインターフェースへのアクセスの提供に応答してインセンティブクレジットを受信させるための命令とを含む、ワイヤレス通信のために構成された低電力基地局において動作可能なコンピュータ可読記憶媒体を提供する。
【００１５】
[0015]本開示の別の態様は、コンピュータに、第１の低電力基地局から、第１の低電力基地局に関連付けられた１つまたは複数のＵＥのリストを受信させるための命令と、コンピュータに、第２の低電力基地局から、第２の低電力基地局における、アクセスの付与に対応する使用情報を、第１の低電力基地局に関連付けられた１つまたは複数のＵＥのうちのＵＥに送信させるための命令と、コンピュータに、第１の低電力基地局に関連付けられたＵＥに対する、アクセスの付与に応答して、インセンティブクレジットを受信させるための命令とを含む、低電力基地局へのアクセスの供給を奨励するために構成された低電力基地局において動作可能なコンピュータ可読記憶媒体を提供する。
【００１６】
[0016]本発明のこれらの態様および他の態様は、以下の発明を実施するための形態を概観することによってより完全に理解されるであろう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関して論じられ得るが、本発明のすべての実施形態は、本明細書で論じられる有利な特徴のうちの１つまたは複数を含み得る。言い換えれば、１つまたは複数の実施形態が、いくつかの有利な特徴を有するものとして論じられ得るが、そのような特徴のうちの１つまたは複数はまた、本明細書で論じられる本発明の様々な実施形態に従って使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１７】
【図１】処理システムを採用する装置のためのハードウェア実装形態の一例を示すブロック図。
【図２】ユーザプレーンおよび制御プレーンのための無線プロトコルアーキテクチャの一例を示す概念図。
【図３】遠隔通信システムの一例を概念的に示すブロック図。
【図４】アクセスネットワークの一例を示す概念図。
【図５】電気通信システムにおいてＵＥと通信しているノードＢの一例を概念的に示すブロック図。
【図６】インセンティブクレジットに応答してアクセスを開放するために構成されたフェムトセルの例を示す簡略化したブロック図。
【図７】１つの例に従って、フェムトセルへのオープンアクセスを奨励するためのフェムトセル共有機会とネットワーク共有機会との間の重複を示すタイミング図。
【図８】１つの例に従って、インセンティブに応答してフェムトセルへのアクセスをオープンするプロセスを示すフローチャート。
【図９】１つの例に従って、インセンティブに応答してアクセスをオープンするかどうかをフェムトセルが決定するためのプロセスを示すフローチャート。
【図１０】１つの例に従って、フェムトセルがインセンティブに応答してアクセスをオープンするかどうかを、ネットワークが決定するためのプロセスを示すフローチャート。
【図１１】１つの例に従って、分散方式でインセンティブの量を決定するためのプロセスを示すフローチャート。
【図１２】本開示のある態様による、ｅＩＣＩＣと範囲拡大とを使用するインセンティブ方式の略図。
【発明を実施するための形態】
【００１８】
[0029]添付の図面とともに以下で説明される、発明を実施するための形態は、様々な構成を説明するものであり、本明細書に記載された概念が実施され得る唯一の構成を表すものではない。発明を実施するための形態は、様々な概念の完全な理解をもたらす目的で、具体的な詳細を含んでいる。しかし、これらの概念がこれらの具体的な詳細なしに実践され得ることが、当業者には明らかであろう。場合によっては、よく知られた構造および構成要素は、そのような概念を不明瞭にするのを避けるためにブロック図の形で示される。
【００１９】
[0030]異種ネットワークが最近、ネットワークオペレータが、集中型の高電力基地局から、より多数の分散型低電力基地局に、容量のうちのある程度をオフロードすることによって、全体的ネットワーク性能を向上するための１つの効果的ソリューションとして普及している。概して、異種ネットワークとは、高電力基地局（しばしば、マクロセルと呼ばれる）によってだけではなく、しばしばマイクロセル、ピコセル、またはフェムトセルと呼ばれる、様々なタイプの低電力基地局によってもサービスが提供されるセルラーネットワークである。
【００２０】
[0031]これらの中でも、フェムトセルとは、通常は屋内で、たとえば、家庭内またはオフィスで使われる低電力基地局である。モバイルデバイスとの通信のためのワイヤレスエアインターフェースは、従来のマクロセルと同じであるが、より低い電力でのプロトコルを使い、マクロセルとは異なり、オペレータのネットワークとの通信のためのバックホール接続は、ブロードバンドインターネット接続を、たとえばケーブルまたはＤＳＬモデムを通して使用する。フェムトセルは、屋内での、向上したワイヤレスカバレージ、より低い電力送信のおかげで低減した干渉、ならびにネットワークトラフィックのある程度がマクロセルから低電力セルにオフロードされることを可能にすることを含む多くの利点を提供する。
【００２１】
[0032]既存の文献では、フェムトセルは、小型セル、低電力セル、ホームノードＢ（ＨＮＢ）、ホームｅノードＢ（ＨｅＮＢ）、フェムトセルアクセスポイント（ＦＡＰ）小型セルアクセスポイント（ＳＣＡＰ）などと呼ばれる場合がある。詳細は、フェムトセルを説明のための例として使用して以下で与えられるが、本開示の態様は、様々な形の異種ネットワークのうちのいずれに適用されてもよく、これらのネットワークは、フェムトセルを含んでも含まなくてもよいが、マクロセルの容量のある程度をオフロードすることが可能な、どの１つまたは複数のタイプの低電力セルも含む。たとえば、ピコセル（またはマイクロセル）は、通常、カバレージを、マクロセルの展開から利用可能なものから、そうでなければマクロセルからのカバレージが欠いている、たとえば、ビル、モール、鉄道の駅などに拡張するための、比較的小さく低コストの基地局である。本開示の態様は等価には、そのようなマイクロセルまたはピコセルに適用され得る。
【００２２】
[0033]フェムトセルは、既存のネットワーク内にある程度まで展開されているが、様々な理由により、フェムトセルの使用から起こり得るであろう利益のうちのいくつかが生じていない。たとえば、今日使われている個人所有フェムトセルは通常、フェムトセルの所有者のみが、およびいくつかのケースでは、所定の認可ユーザのセットが、フェムトセルによって提供されるエアインターフェースを使用してネットワークにアクセスすることを認可されるように構成されたクローズドアクセスである。つまり、所有者／加入者は、自分のバックホール容量に対して、およびフェムトセルに電力供給するための電気に対して支払いをするのであって、自身の機器によって提供されるサービスの無料使用を認めるためのインセンティブが欠けている場合がある
[0034]したがって、本開示のいくつかの態様は、フェムトセルの所有者が、近くの他の所有者に、自分のフェムトセルを使わせるための様々なインセンティブ方式を提供し、マクロセルからの何人かのユーザのオフローディングを可能にし、全体的ネットワーク性能を向上するのを助ける。
【００２３】
[0035]図１は、処理システム１１４を使用する装置１００のためのハードウェア実装形態の一例を示す概念図である。以下で説明する様々な例において、装置１００は、アクセス端末（ユーザ機器）、基地局（たとえば、ノードＢ、フェムトセルなど）、または他の装置を表し得る。本開示の様々な態様によれば、要素、または要素の任意の部分、または要素の任意の組合せは、１つまたは複数のプロセッサ１０４を含む処理システム１１４を用いて実装され得る。プロセッサ１０４の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって記載される様々な機能を実行するように構成された他の適切なハードウェアが含まれる。
【００２４】
[0036]この例では、処理システム１１４は、バス１０２によって概略的に表されたバスアーキテクチャを用いて実装され得る。バス１０２は、処理システム１１４の特定の適用例および全体的な設計制約に応じて、任意の数の相互接続するバスとブリッジとを含むことができる。バス１０２は、（プロセッサ１０４によって概略的に表された）１つまたは複数のプロセッサと、メモリ１０５と、（コンピュータ可読媒体１０６によって概略的に表された）コンピュータ可読媒体とを含む、様々な回路を互いにリンクする。バス１０２はまた、タイミングソース、周辺機器、電圧調整器、および電力管理回路などの様々な他の回路をリンクすることができるが、これらの回路は当技術分野において周知であり、したがって、これ以上記載されない。バスインターフェース１０８は、バス１０２とトランシーバ１１０との間のインターフェースを与える。トランシーバ１１０は、伝送媒体上で様々な他の装置と通信するための手段を提供する。装置の種類に応じて、ユーザインターフェース１１２（たとえば、キーパッド、ディスプレイ、スピーカ、マイクロフォン、ジョイスティック）も提供され得る。
【００２５】
[0037]プロセッサ１０４は、バス１０２を管理することと、コンピュータ可読媒体１０６に記憶されたソフトウェアの実行を含む一般的な処理とを担う。ソフトウェアは、プロセッサ１０４によって実行されると、任意の特定の装置の以下で説明する様々な機能を処理システム１１４に実施させる。コンピュータ可読媒体１０６はまた、ソフトウェアを実行するときにプロセッサ１０４によって操作されるデータを記憶するために使用することができる。
【００２６】
[0038]処理システム内の１つまたは複数のプロセッサ１０４はソフトウェアを実行することができる。ソフトウェアは、ソフトウェア、ファームウェア、ミドルウェア、マイクロコード、ハードウェア記述言語と呼ばれようと、またはそうでなかろうと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、機能、その他を意味すると広く解釈されるものとする。ソフトウェアはコンピュータ可読媒体１０６に常駐することができる。コンピュータ可読媒体１０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、送信ライン、ならびにコンピュータによってアクセスされ、読み取られ得るソフトウェアおよび／または命令を送信するための任意の他の好適な媒体を含み得る。コンピュータ可読媒体１０６は、処理システム１１４中に常駐するか、処理システム１１４の外部にあるか、または処理システム１１４を含む複数のエンティティにわたって分散され得る。コンピュータ可読媒体１０６はコンピュータプログラム製品において実施され得る。例として、コンピュータプログラム製品は、パッケージング材料内のコンピュータ可読媒体を含むことができる。特定の適用例および全体的なシステムに課された全体的な設計制約に応じて、本開示全体にわたって提示される説明される機能がどのようにすれば最も良く実装されるかを、当業者は認識するだろう。
【００２７】
[0039]本開示全体にわたって提示される様々な概念は、幅広い様々な電気通信システム、ネットワークアーキテクチャ、および通信規格にわたって実装され得る。任意の特定のワイヤレス電気通信システムでは、通信プロトコルアーキテクチャは、特定の適用例に応じて様々な形態をとることができる。たとえば、３ＧＰＰのＵＭＴＳシステムでは、シグナリングプロトコルスタックは非アクセス層（ＮＡＳ）とアクセス層（ＡＳ）とに分割される。ＮＡＳは、モバイルユーザ機器（ＵＥ）とコアネットワークとの間の信号伝達のために上位レイヤを提供し、回線交換プロトコルとパケット交換プロトコルとを含むことができる。ＡＳは、アクセスネットワークとＵＥとの間の信号伝達のために下位レイヤを提供し、ユーザプレーンと制御プレーンとを含むことができる。ここで、ユーザプレーンすなわちデータプレーンはユーザトラフィックを搬送し、制御プレーンは制御情報（すなわち、信号伝達）を搬送する。
【００２８】
[0040]図２を参照すると、ＡＳは３つのレイヤ、レイヤ１、レイヤ２、およびレイヤ３で示される。レイヤ１は最下位レイヤであり、様々な物理レイヤ信号処理機能を実装する。レイヤ１は、本明細書では物理レイヤ２０６と呼ばれる。レイヤ２  ２０８と呼ばれるデータリンクレイヤは物理レイヤ２０６の上にあり、物理レイヤ２０６を介したＵＥ２１０とノードＢ２０８との間のリンクを担う。
【００２９】
[0041]レイヤ３で、ＲＲＣレイヤ２１６はＵＥ２１０とノードＢ２０８との間の信号を伝達する制御プレーンを扱う。ＲＲＣレイヤ２１６は、上位レイヤのメッセージを経路選択し、ブロードキャストおよびページングの機能を扱い、無線ベアラを確立し構成する、などのためのいくつかの機能エンティティを含む。
【００３０】
[0042]示された図では、Ｌ２レイヤ２０８はサブレイヤに分割される。制御プレーンでは、Ｌ２レイヤ２０８は２つのサブレイヤ、媒体アクセス制御（ＭＡＣ）サブレイヤ２１０と無線リンク制御（ＲＬＣ）サブレイヤ２１２とを含む。ユーザプレーンでは、Ｌ２レイヤ２０８はパケットデータコンバージェンスプロトコル（ＰＤＣＰ）サブレイヤ２１４をさらに含む。図示されていないが、ＵＥは、ネットワーク側のＰＤＮゲートウェイで終端されるネットワークレイヤ（たとえば、ＩＰレイヤ）と、接続の他端（たとえば、ファーエンドＵＥ、サーバなど）で終端されるアプリケーションレイヤとを含む、Ｌ２レイヤ２０８の上のいくつかの上位レイヤを有することができる。
【００３１】
[0043]ＰＤＣＰサブレイヤ２１４は、異なる無線ベアラと論理チャネルとの間で多重化を行う。ＰＤＣＰサブレイヤ２１４はまた、無線送信オーバーヘッドを低減するための上位レイヤデータパケットのためのヘッダ圧縮と、データパケットを暗号化することによるセキュリティと、ノードＢの間のＵＥに対するハンドオーバサポートとを提供する。
【００３２】
[0044]ＲＬＣサブレイヤ２１２は、（確認応答および再送のプロセスが誤り訂正用に使用され得る）確認応答モード（ＡＭ）と、非確認応答モード（ＵＭ）と、データ転送のための透過モードとを全般的にサポートし、上位レイヤデータパケットの分割および再構築とデータパケットの並べ替えとを提供して、ＭＡＣレイヤでのハイブリッド自動再送要求（ＨＡＲＱ）に起因する異常受信を補償する。確認応答モードでは、ＲＮＣおよびＵＥなどのＲＬＣピアエンティティは、とりわけ、ＲＬＣデータＰＤＵと、ＲＬＣ状態ＰＤＵと、ＲＬＣリセットＰＤＵとを含む、様々なＲＬＣプロトコルデータユニット（ＰＤＵ）を交換することができる。本開示では、「パケット」という用語はＲＬＣピアエンティティの間で交換される任意のＲＬＣ  ＰＤＵを指すことができる。
【００３３】
[0045]ＭＡＣサブレイヤ２１０は、論理チャネルとトランスポートチャネルとの間の多重化を行う。ＭＡＣサブレイヤ２１０はまた、ＵＥの間で１つのセル内の様々な無線リソース（たとえば、リソースブロック）を割り振ることを担う。ＭＡＣサブレイヤ２１０はまた、ＨＡＲＱ動作を担う。
【００３４】
[0046]次に図３を参照すると、限定しない説明のための例として、本開示の様々な態様がユニバーサルモバイル電気通信システム（ＵＭＴＳ）ネットワーク３００を参照して示される。ＵＭＴＳネットワークは、３つの対話ドメイン、コアネットワーク３０４と、無線アクセスネットワーク（ＲＡＮ）（たとえば、ＵＭＴＳ地上波無線アクセスネットワーク（ＵＴＲＡＮ））３０２と、ユーザ機器（ＵＥ）３１０とを含む。ＵＴＲＡＮ３０２に利用可能ないくつかのオプションの中で、この例では、図示されたＵＴＲＡＮ３０２は、電話、ビデオ、データ、メッセージング、ブロードキャスト、および／または他のサービスを含む様々なワイヤレスサービスを可能にするためのＷ−ＣＤＭＡ（登録商標）エアインターフェースを採用することができる。ＵＴＲＡＮ３０２は無線ネットワークサブシステム（ＲＮＳ）３０７などの複数のＲＮＳを含むことができ、ＲＮＳの各々は無線ネットワークコントローラ（ＲＮＣ）３０６などのそれぞれのＲＮＣによって制御される。ここで、ＵＴＲＡＮ３０２は、図示されたＲＮＣ３０６とＲＮＳ３０７とに加えて、任意の数のＲＮＣ３０６とＲＮＳ３０７とを含むことができる。ＲＮＣ３０６は、特に、ＲＮＳ３０７内で無線リソースを割り当て、再構成し、解放することを担う装置である。ＲＮＣ３０６は、任意の好適なトランスポートネットワークを使用して、直接物理接続、仮想ネットワークなど、様々なタイプのインターフェースを通してＵＴＲＡＮ３０２中の他のＲＮＣ（図示せず）と相互接続され得る。
【００３５】
[0047]ＲＮＳ３０７によってカバーされる地理的領域は、いくつかのセルに分割され得るし、無線トランシーバ装置が各セルをサービスする。無線トランシーバ装置は、ＵＭＴＳの適用例では普通、ノードＢと呼ばれるが、当業者によって、基地局（ＢＳ）、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の適切な用語で呼ばれることもある。明確にするために、３つのノードＢ３０８が各ＲＮＳ３０７内に示されているが、ＲＮＳ３０７は任意の数のワイヤレスノードＢを含むことができる。ノードＢ３０８は、任意の数のモバイル装置に、コアネットワーク３０４へのワイヤレスアクセスポイントを提供する。異種ネットワークでは、ノードＢ３０８の例は、マクロセル、マイクロセル、ピコセル、またはフェムトセルを含み得るが、モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。モバイル装置は、ＵＭＴＳ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれることがある。ＵＭＴＳシステムでは、ＵＥ３１０は、ネットワークへのユーザの加入情報を含んでいる汎用加入者識別モジュール（ＵＳＩＭ）３１１をさらに含むことができる。説明の目的で、いくつかのノードＢ３０８と通信中の１つのＵＥ３１０が示される。順方向リンクとも呼ばれるダウンリンク（ＤＬ）は、ノードＢ３０８からＵＥ３１０への通信リンクを指し、逆方向リンクとも呼ばれるアップリンク（ＵＬ）は、ＵＥ３１０からノードＢ３０８への通信リンクを指す。
【００３６】
[0048]コアネットワーク３０４は、ＵＴＲＡＮ３０２などの１つまたは複数のアクセスネットワークとインターフェースすることができる。図示されたように、コアネットワーク３０４はＵＭＴＳコアネットワークである。ただし、当業者なら認識するように、本開示全体にわたって提示する様々な概念は、ＵＭＴＳネットワーク以外のタイプのコアネットワークへのアクセスをＵＥに与えるために、ＲＡＮ、または他の好適なアクセスネットワークにおいて実装され得る。
【００３７】
[0049]図示されたＵＭＴＳコアネットワーク３０４は、回線交換（ＣＳ）ドメインとパケット交換（ＰＳ）ドメインとを含む。回線交換要素の一部は、モバイルサービス交換センタ（ＭＳＣ）、ビジタロケーションレジスタ（ＶＬＲ）、およびゲートウェイＭＳＣ（ＧＭＳＣ）である。パケット交換要素は、サービングＧＰＲＳサポートノード（ＳＧＳＮ）と、ゲートウェイＧＰＲＳサポートノード（ＧＧＳＮ）とを含む。ＥＩＲ、ＨＬＲ、ＶＬＲおよびＡｕＣのような、いくつかのネットワーク要素は、回線交換ドメインとパケット交換ドメインの両方によって共有され得る。
【００３８】
[0050]図示された例では、コアネットワーク３０４は、ＭＳＣ３１２とＧＭＳＣ３１４とを用いて回線交換サービスをサポートする。いくつかの適用例では、ＧＭＳＣ３１４は媒体ゲートウェイ（ＭＧＷ）と呼ばれる場合がある。ＲＮＣ３０６などの１つまたは複数のＲＮＣは、ＭＳＣ３１２に接続され得る。ＭＳＣ３１２は、呼設定機能と、呼ルーティング機能と、ＵＥモビリティ機能とを制御する装置である。ＭＳＣ３１２はまた、ＵＥがＭＳＣ３１２のカバレージエリア内にある間、加入者関係情報を含んでいるビジタロケーションレジスタ（ＶＬＲ）を含む。ＧＭＳＣ３１４は、ＵＥが回線交換ネットワーク３１６にアクセスするために、ＭＳＣ３１２を介したゲートウェイを提供する。ＧＭＳＣ３１４は、特定のユーザが加入したサービスの詳細を反映するデータなどの加入者データを含んでいるホームロケーションレジスタ（ＨＬＲ）３１５を含む。ＨＬＲはまた、加入者固有の認証データを含んでいる認証センタ（ＡｕＣ）に関連付けられる。特定のＵＥ向けの呼が受信されると、ＧＭＳＣ３１４はＨＬＲ３１５に問い合わせてＵＥのロケーションを決定し、そのロケーションをサービスする特定のＭＳＣに呼を転送する。
【００３９】
[0051]図示されたコアネットワーク３０４は、サービングＧＰＲＳサポートノード（ＳＧＳＮ）３１８とゲートウェイＧＰＲＳサポートノード（ＧＧＳＮ）３２０とを用いてパケット交換データサービスもサポートする。汎用パケット無線サービス（ＧＰＲＳ）は、標準の回線交換データサービスで利用可能な速度よりも速い速度で、パケットデータサービスを提供するように設計されている。ＧＧＳＮ３２０は、パケットベースネットワーク３２２へのＵＴＲＡＮ３０２のための接続を与える。パケットベースネットワーク３２２は、インターネット、プライベートデータネットワーク、または何らかの他の適切なパケットベースネットワークであり得る。ＧＧＳＮ３２０の主要機能は、パケットベースネットワーク接続をＵＥ３１０に提供することである。データパケットは、ＳＧＳＮ３１８を介してＧＧＳＮ３２０とＵＥ３１０との間で転送され得るし、ＳＧＳＮ３１８は、主に、ＭＳＣ３１２が回線交換ドメインで実行するのと同じ機能をパケットベースドメインで実行する。
【００４０】
[0052]上記で説明されたように、ＵＴＲＡＮエアインターフェースは、Ｗ−ＣＤＭＡ規格を利用するシステムなどの、スペクトラム拡散直接シーケンス符号分割多元接続（ＤＳ−ＣＤＭＡ）システムであり得る。スペクトラム拡散ＤＳ−ＣＤＭＡは、チップと呼ばれる擬似ランダムビットのシーケンスによる乗算によって、ユーザデータを拡散する。ＵＴＲＡＮ３０２のためのＷ−ＣＤＭＡエアインターフェースは、そのようなＤＳ−ＣＤＭＡ技術に基づいており、さらに周波数分割複信（ＦＤＤ）を必要とする。ＦＤＤは、ノードＢ４０８とＵＥ３１０との間のアップリンク（ＵＬ）およびダウンリンク（ＤＬ）に対して異なる搬送周波数を使用する。ＤＳ−ＣＤＭＡを利用し、時分割複信（ＴＤＤ）を使用するＵＭＴＳのための別のエアインターフェースは、ＴＤ−ＳＣＤＭＡエアインターフェースである。本明細書に記載された様々な例はＷ−ＣＤＭＡエアインターフェースに言及する場合があるが、基礎をなす原理はＴＤ−ＳＣＤＭＡエアインターフェースまたは他の適切なエアインターフェースに等しく適用可能であることを、当業者は認識されよう。
【００４１】
[0053]次に図４を参照すると、例として、また限定せずに、ＵＴＲＡＮアーキテクチャにおけるＲＡＮ４００の簡略化された概略図が示される。システムは、セル４０２と、セル４０４と、セル４０６とを含む複数のセルラー領域（セル）を含み、その各々は１つまたは複数のセクタを含むことができる。セルは、（たとえば、カバレージエリアにより）地理的に定義され得るし、および／または周波数、スクランブリングコードなどに従って定義され得る。すなわち、図示された地理的に定義されたセル４０２、４０４、および４０６は、たとえば、様々なスクランブリングコードを利用することによって、各々複数のセルにさらに分割され得る。たとえば、セル４０４ａは第１のスクランブリングコードを利用することができ、セル４０４ｂは、同じ地理的領域にあり同じノードＢ４４４によってサービスされるが、第２のスクランブリングコードを利用することによって区別され得る。
【００４２】
[0054]図示されるセルは、図４では、同じサイズを有するものとして示されているが、これは略図にすぎず、異種ネットワークでは、ここにおいて、ノードＢ４４２、４４４、および４４６は、電力、容量、または他の特性が変わる場合があり、上述したように、実装形態詳細によるマクロセル、マイクロセル、ピコセル、またはフェムトセルであってよい。
【００４３】
[0055]セクタに分割されたセルでは、１つのセル内の複数のセクタはアンテナのグループによって形成され得るし、各アンテナはセルの一部分におけるＵＥとの通信を担う。たとえば、セル４０２では、アンテナグループ４１２、４１４、および４１６は各々異なるセクタに対応することができる。セル４０４では、アンテナグループ４１８、４２０、および４２２は各々異なるセクタに対応することができる。セル４０６では、アンテナグループ４２４、４２６、および４２８は各々異なるセクタに対応することができる。
【００４４】
[0056]セル４０２、４０４、および４０６は、各セル４０２、４０４、または４０６のうちの１つまたは複数のセクタと通信することができる、いくつかのＵＥを含むことができる。たとえば、ＵＥ４３０および４３２はノードＢ４４２と通信することができ、ＵＥ４３４および４３６はノードＢ４４４と通信することができ、ＵＥ４３８および４４０はノードＢ４４６と通信することができる。ここで、各ノードＢ４４２、４４４、および４４６は、それぞれのセル４０２、４０４、および４０６内のすべてのＵＥ４３０、４３２、４３４、４３６、４３８、および４４０に、コアネットワーク２０４（図２参照）へのアクセスポイントを提供するように構成され得る。
【００４５】
[0057]ソースセルとの通話中に、または任意の他の時間に、ＵＥ４３６は、ソースセルの様々なパラメータならびに隣接セルの様々なパラメータを監視することができる。さらに、これらのパラメータの品質に応じて、ＵＥ４３６は、隣接セルのうちの１つまたは複数との通信を維持することができる。この時間中に、ＵＥ４３６は、アクティブセット、すなわちＵＥ４３６が同時に接続されるセルのリストを維持することができる（すなわち、ダウンリンク専用物理チャネルＤＰＣＨまたはフラクショナルダウンリンク専用物理チャネルＦ−ＤＰＣＨをＵＥ４３６に現在割り当てているＵＴＲＡＮセルが、アクティブセットを構成することができる）。
【００４６】
[0058]図５は、例示的ＵＥ５５０と通信している例示的ノードＢ５１０のブロック図である。ここで、ＵＥ５５０は図３のＵＥ３１０であってよく、ノードＢ５１０は、たとえば、実装形態に依存して、マクロセル、マイクロセル、ピコセル、および／またはフェムトセルとして実施される、図３のノードＢ３０８であってよい。ダウンリンク通信では、送信プロセッサ５２０は、データソース５１２からデータを、コントローラ／プロセッサ５４０から制御信号を受信することができる。送信プロセッサ５２０は、データおよび制御信号、ならびに基準信号（たとえば、パイロット信号）のための様々な信号処理機能を提供する。たとえば、送信プロセッサ５２０は、誤り検出のための巡回冗長検査（ＣＲＣ）コードと、前方誤り訂正（ＦＥＣ）を可能にするためのコーディングおよびインターリービングと、様々な変調方式（たとえば、２位相偏移変調（ＢＰＳＫ）、４位相偏移変調（ＱＰＳＫ）、Ｍ位相偏移変調（Ｍ−ＰＳＫ）、Ｍ直交振幅変調（Ｍ−ＱＡＭ）など）に基づく信号コンスタレーションへのマッピングと、直交可変拡散率（ＯＶＳＦ）による拡散と、一連のシンボルを生成するためのスクランブリングコードによる乗算とを提供することができる。チャネルプロセッサ５４４からのチャネル推定値は、送信プロセッサ５２０のためのコーディング、変調、拡散、および／またはスクランブリングの方式を決定するために、コントローラ／プロセッサ５４０によって使用され得る。これらのチャネル推定値は、ＵＥ５５０によって送信された基準信号から、またはＵＥ５５０からのフィードバックから導出され得る。送信プロセッサ５２０によって生成されたシンボルは、フレーム構造を作成するために、送信フレームプロセッサ５３０に供給される。送信フレームプロセッサ５３０は、これらのシンボルをコントローラ／プロセッサ５４０からの情報で多重化することによってこのフレーム構造を作成し、一連のフレームをもたらす。それらのフレームは、次いで、送信機５３２に与えられ、送信機５３２は、アンテナ５３４を通じたワイヤレス媒体を介したダウンリンク送信のために、フレームを増幅し、フィルタリングし、キャリア上に変調することを含む、様々な信号調整機能を提供する。アンテナ５３４は、たとえば、ビームステアリング双方向アダプティブアンテナアレイ、または他の同様のビーム技術を含む、１つまたは複数のアンテナを含むことができる。
【００４７】
[0059]ＵＥ５５０で、受信機５５４は、アンテナ５５２を通してダウンリンク送信を受信し、この送信を処理してキャリア上に変調された情報を復元する。受信機５５４によって復元された情報は、受信フレームプロセッサ５６０に与えられ、受信フレームプロセッサ５６０は、各フレームを解析し、フレームからの情報をチャネルプロセッサ５９４に与え、データと、制御および基準信号とを受信プロセッサ５７０に与える。受信プロセッサ５７０は、次いで、ノードＢ５１０において送信プロセッサ５２０によって実施される処理の逆を実施する。より具体的には、受信プロセッサ５７０は、シンボルを逆スクランブルおよび逆拡散し、次いで、変調方式に基づいて、ノードＢ５１０によって送信された、可能性が最も高い信号コンスタレーション点を決定する。これらの軟判定は、チャネルプロセッサ５９４によって計算されたチャネル推定値に基づくことができる。次いで、軟判定は復号およびデインターリーブされて、データと、制御信号と、基準信号とを復元する。次いで、フレームの復号に成功したかどうかを決定するためにＣＲＣコードがチェックされる。復号に成功したフレームによって搬送されたデータは、次いでデータシンク５７２に供給され、データシンク５７２は、ＵＥ５５０内で稼働中のアプリケーション、および／または様々なユーザインターフェース（たとえば、ディスプレイ）を表す。復号に成功したフレームによって搬送された制御信号は、コントローラ／プロセッサ５９０に与えられることになる。受信機プロセッサ５７０によるフレームの復号が失敗したとき、コントローラ／プロセッサ５９０はまた、それらのフレームに対する再送要求をサポートするために、肯定応答（ＡＣＫ）および／または否定応答（ＮＡＣＫ）のプロトコルを使用することもできる。
【００４８】
[0060]アップリンクでは、データソース５７８からのデータと、コントローラ／プロセッサ５９０からの制御信号とが、送信プロセッサ５８０に与えられる。データソース５７８は、ＵＥ５５０内で稼働中のアプリケーションと、様々なユーザインターフェース（たとえば、キーボード）とを表すことができる。ノードＢ５１０によるダウンリンク送信に関して記載された機能と同様に、送信プロセッサ５８０は、ＣＲＣコードと、ＦＥＣを可能にするためのコーディングおよびインターリービングと、信号コンスタレーションへのマッピングと、ＯＶＳＦによる拡散と、一連のシンボルを生成するためのスクランブリングとを含む、様々な信号処理機能を提供する。ノードＢ５１０によって送信された基準信号から、またはノードＢ５１０によって送信されたミッドアンブル内に含まれているフィードバックから、チャネルプロセッサ５９４によって導出されたチャネル推定値は、適切なコーディング、変調、拡散、および／またはスクランブリングの方式を選択するために使用され得る。送信プロセッサ５８０によって生成されたシンボルは、フレーム構造を作成するために、送信フレームプロセッサ５８２に与えられることになる。送信フレームプロセッサ５８２は、これらのシンボルをコントローラ／プロセッサ５９０からの情報で多重化することによってこのフレーム構造を作成し、一連のフレームをもたらす。それらのフレームは、次いで、送信機５５６に与えられ、送信機５５６は、アンテナ５５２を通じたワイヤレス媒体を介したアップリンク送信のために、増幅と、フィルタリングと、キャリア上へのフレームの変調とを含む、様々な信号調整機能を提供する。
【００４９】
[0061]アップリンク送信は、ＵＥ５５０での受信機能に関して記載された方法と同様の方法で、ノードＢ５１０で処理される。受信機５３５は、アンテナ５３４を通してアップリンク送信を受信し、この送信を処理してキャリア上に変調された情報を復元する。受信機５３５によって復元された情報は、受信フレームプロセッサ５３６に与えられ、受信フレームプロセッサ５３６は、各フレームを解析し、フレームからの情報をチャネルプロセッサ５４４に与え、データと、制御および基準信号とを受信プロセッサ５３８に与える。受信プロセッサ５３８は、ＵＥ５５０において送信プロセッサ５８０によって実施される処理の逆を実施する。復号に成功したフレームによって搬送されたデータおよび制御信号は、次いで、それぞれデータシンク５３９およびコントローラ／プロセッサに与えられ得る。受信プロセッサ５３８によるフレームの一部の復号が失敗した場合、コントローラ／プロセッサ５４０はまた、それらのフレームに対する再送要求をサポートするために、肯定応答（ＡＣＫ）および／または否定応答（ＮＡＣＫ）のプロトコルも使用することができる。
【００５０】
[0062]コントローラ／プロセッサ５４０および５９０は、それぞれノードＢ５１０およびＵＥ５５０での動作を指示するために使用され得る。たとえば、コントローラ／プロセッサ５４０および５９０は、タイミング、周辺インターフェース、電圧調整、電源管理、および他の制御機能を含む、様々な機能を提供することができる。メモリ５４２および５９２のコンピュータ可読媒体は、それぞれノードＢ５１０用およびＵＥ５５０のためのデータとソフトウェアとを記憶することができる。ノードＢ５１０でのスケジューラ／プロセッサ５４６は、リソースをＵＥに割り当てるため、およびＵＥのためのダウンリンク送信および／またはアップリンク送信をスケジュールするために使用され得る。
【００５１】
[0063]上述したように、本開示の１つまたは複数の態様は、フェムトセルを所有または制御する加入者を、そのフェムトセルによって提供されるエアインターフェースへのアクセスを、認可されたユーザのセットの外部のユーザに開放するよう動機づけるように構成されたインセンティブ方式を提供する。このようにして、より多くの数のフェムトセルが、追加ユーザに開放されてよく、隣接マクロセルにおける潜在的な過負荷条件を緩和し、干渉を低減し、他の利益をネットワークに全体として提供する。
【００５２】
[0064]つまり、以下で説明するように、クローズドアクセスまたはクローズド加入者グループ（ＣＳＧ）フェムトセルは、認可されたＵＥのクローズドセットを含むことができ、ここにおいて、その認可されたセット内のＵＥのみが、フェムトセルによって提供されるエアインターフェースリソースを使用することを許可される。ただし、本開示の１つまたは複数の態様によると、フェムトセルによって提供されるエアインターフェースへのアクセスは、フェムトセルがハイブリッドアクセスフェムトセル（認可されたＵＥセットの外部の少なくとも１つの選択されたＵＥがアクセスを許可される）、または、どの近くのＵＥも、フェムトセルによって提供されるリソースを使用することができるオープンアクセスフェムトセルになるように、認可されたＵＥセットの外部の１つまたは複数の他のＵＥに提供されてよい。
【００５３】
[0065]以下でさらに詳しく説明するように、様々なタイプのインセンティブが、フェムトセルを所有および／または制御する加入者に提供され得る。つまり、加入者が、自分のフェムトセルへのアクセスを開放するためのインセンティブは、ネットワークの立場からは望ましいと見なされ、というのは、そのようなインセンティブがないと、加入者が自分のフェムトセルへのアクセスを開放する可能性が比較的低いからである。ここで、インセンティブのタイプは、加入者によって、自身のフェムトセルの使用以外に使用可能であり得るが、というのは、加入者が自分の加入に対する無制限データプランに対してすでに支払いをしているケースでは、自身のフェムトセルの使用に関するインセンティブを与えることは、効果的でない可能性があるからである。
【００５４】
[0066]さらに、以下でさらに詳しく説明するように、与えるべきインセンティブの量と、そのようなインセンティブが入手可能であり得るタイミングとを決定するためのアルゴリズムおよび方法は、いくつかの異なる形をとり得る。いくつかの例では、フェムトセルは、加入者に提供するべきインセンティブが、フェムトセルによって分散型の協調方式で決定され得るように、互いと通信することを可能にされ得る。
【００５５】
[0067]いくつかの例では、供給するべきインセンティブの決定は、オペレータのポリシーと、フェムトセルの所有者によって設定されたローカルポリシーの両方を考慮し得る。このようにして、フェムトセルへのアクセスは、所有者に対してほとんどまたはまったく影響がなく、同時に、マクロセルまたは他のネットワークエンティティが、オープンアクセスフェムトセルによって提供される余剰容量によって助けられるときに可能にされ得る。これにより、「ウィンウィン」戦略を可能にすることができ、ここにおいて、オペレータのネットワークと加入者は両方とも、共有アクセスから利益を受ける。
【００５６】
[0068]図６は、本開示の１つまたは複数の態様によるフェムトセル６０２を示す概略ブロック図である。いくつかの例では、フェムトセル６０２は、図５に示されるノードＢ５１０、および／または図１に示される装置１００を表し得る。図示されるように、フェムトセル６０２は、少なくとも１つのプロセッサ６０４と、少なくとも１つのプロセッサ６０４に通信可能に結合されたＷＷＡＮトランシーバ６０６などの通信インターフェースと、少なくとも１つのプロセッサ６０４に通信可能に結合されたメモリ６０８とを含む。ここで、ＷＷＡＮトランシーバ６０６は、１つまたは複数のＵＥ（たとえば、ＵＥ５５０）との通信のためのワイヤレスエアインターフェースを提供するように構成され得る。さらに、フェムトセル６０２は、イーサネット（登録商標）ポート、ＤＳＬインターフェース、ケーブルモデムインターフェース、またはフェムトセル６０２を、インターネットなどのネットワークに接続するための他のインターフェースなど、どの適切なインターフェースでもよいネットワーク通信インターフェース６１０を含み得る。ネットワーク通信インターフェース６１０は、たとえば、ＷＷＡＮトランシーバ６０６を経由して通信されるデータのソースおよび／またはシンクとして作用するフェムトセル６０２のためのバックホール通信を提供することができる。
【００５７】
アクセスをオープンするかどうかの決定  
[0069]本開示の様々な態様において、フェムトセル６０２は、そのアクセスをオープンするかどうかの計算に関与しなくてよく、その決断は、マクロセルおよび／またはフェムトセル６０２から受信された情報に基づいて、ネットワークオペレータによって制御される。本開示の別の態様では、フェムトセル６０２は、アクセスのオープンがネットワークの残りと協調され得るように、近くのマクロセルと通信することができる。ここで、フェムトセル６０２は、そのアクセスを１人または複数の非関連ユーザに開放するための命令を受信するのに、ネットワーク通信インターフェース６１０を使用することができる。本開示のさらに別の態様では、フェムトセル６０２は、アクセスを１つまたは複数の非関連ＵＥに対してオープンするかどうか決定するのに、フェムトセル６０２が決定した情報、ならびに／あるいは隣接マクロセルおよび／または隣接フェムトセルから受信された情報を使用することができる。
【００５８】
[0070]本開示のさらなる態様において、フェムトセル６０２がアクセスを関連ＵＥのセットの外部の１つまたは複数のＵＥに対して開放するタイミングおよび他の詳細は、フェムトセル６０２において決定されるにしても外部で決定されるにしても、様々な要因に従って決定され得る。ここで、バックホール利用可能性、フェムトセルにおける干渉、または加入者向けのサービス品質もしくはエクスペリエンス品質に影響を与え得るような他の要因など、１つまたは複数の要因が、加入者および／またはフェムトセル６０２自体に対応し得る。たとえば、フェムトセル６０２は、ネットワーク通信インターフェース６１０に対応するバックホールが、ロードされるか、それとも隣接セルからの、１人または複数の非関連ユーザのオフローディングに合わせるために利用可能であるか決定するように構成されたバックホール利用可能性決定動作６２２を含み得る。さらに、フェムトセル６０２は、近くのユーザによって引き起こされる干渉の量（たとえば、ライズオーバサーマル、すなわちＲｏＴ）を決定するためにＷＷＡＮトランシーバ６０６と協調して動作するのに使用され得る干渉測定動作６２８を含み得る。さらに、フェムトセル６０２は、ＷＷＡＮトランシーバ６０６によって提供されるエアインターフェースを使用する数人のユーザのうちの１人または複数に対応し得るフェムトセル６０２のローディング条件、プロセッサ６０４の利用可能性、ネットワーク通信インターフェース６１０に対応するバックホール利用可能性、またはフェムトセル６０２におけるリソースのローディングまたは利用可能性に影響を与え得る他の側面を決定するのに使用され得るセルローディング決定動作６３０を含み得る。
【００５９】
[0071]さらに、マクロセルトラフィックローディング、マクロセルにおける干渉、またはマクロセルネットワークのユーザ向けのサービス品質もしくはエクスペリエンス品質に影響を与え得る他のそのような要因など、１つまたは複数の要因が、ネットワークオペレータに対応し得る。ネットワークは、これらの要因を、どの適した手段を使用して決定してもよく、これらの要因に関する情報を、たとえば、ネットワーク通信インターフェース６１０を使用し、バックホール接続を経由して、フェムトセル６０２に通信すればよい。
【００６０】
[0072]本開示の１つまたは複数の態様において、認可されたＵＥセットの外部の１つまたは複数のＵＥに対してアクセスを開放するのに適した時間は、以下で説明するように決定され得る。
【００６１】
[0073]図７は、１つの例に従って、アクセスをオープンするためのタイミングを示す概略タイミング図である。つまり、加入者が自分のフェムトセル６０２へのアクセスを非関連ユーザ向けに開放するための最良の時間は、上のタイムライン７０２に示される、フェムトセル６０２へのオープンアクセスの供給が、フェムトセル自体に対する利益と、下のタイムライン７０４に示される、ネットワークに対する利益とを提供することになる時間の重複に対応する。フェムトセル６０２向けのこのような機会７０２は、フェムトセル６０２が、他のフェムトセルによる使用に対応可能な余剰バックホール容量を有する時間、またはＷＷＡＮトランシーバ６０６に対応するエアインターフェース干渉もしくはチャネル条件など、他の適した条件に対応し得る。さらに、ネットワーク向けのこのような機会７０４は、フェムトセル６０２へのオープンアクセスの供給がネットワークへの寄与をもたらすことになる時間に対応し得る。
【００６２】
[0074]このようにして、重複する時間内に、フェムトセル６０２へのオープンアクセスが付与されるとき、たとえば、インセンティブが加入者に供給されるとき、加入者とネットワークの両方が、オープンアクセスの付与から利益を得ることができるウィンウィンシナリオが達成され得る。つまり、本開示のある態様によると、「ウィンウィン」シナリオが達成され得るようなとき、インセンティブが加入者に与えられてよく、ここにおいてインセンティブは、フェムトセルに、フェムトセル所有者向けの良好機会ウィンドウがネットワーク向けの良好機会ウィンドウと交差する時間中、他のフェムトセル向けにアクセスを開放するよう勧める。
【００６３】
[0075]図８は、本開示のある態様による、フェムトセル６０２に対応する加入者にインセンティブを付与するための例示的プロセス８００を示すフローチャートである。いくつかの例では、プロセス８００は、たとえば、分散型インセンティブを決定するとき、フェムトセル６０２において実施することができ、他の例では、プロセス８００は、図３を参照すると、ノードＢ３０８、ＲＮＣ３０６、コアネットワーク３０４中のノード、またはインターネット３２２などのパケット交換ネットワークに通信可能に結合されたサーバなど、適切なネットワークノードにおいて実施することができる。
【００６４】
[0076]ステップ８０２で、フェムトセル６０２はフェムトセル性能情報を取得することができ、この情報は、非関連ＵＥに対するアクセスの開放からの、性能の向上、または少なくとも、性能の実質的低下なしのために、フェムトセル共有機会７０２が存在するかに関して、フェムトセル６０２に知らせ得る。たとえば、フェムトセル性能情報は、バックホール利用可能性に対応してよく、これは、ネットワーク通信インターフェース６１０を使用して、そのネットワークを照会することによって、または自身の使用するバックホール利用可能性決定動作６２２の測定を行うことによって、取り出すことができる。つまり、加入者は、他者に対するアクセスの開放が、加入者に対してのフェムトセルの性能を害することがないように、余剰バックホール容量が利用可能である間、自分の専用フェムトセル６０２を開放することだけを望み得る。
【００６５】
[0077]さらに、フェムトセル性能情報は、ワイヤレスネットワークのチャネル条件に対応し得る。たとえば、フェムトセル６０２におけるＷＷＡＮトランシーバ６０６は、トラフィックボリューム、ならびに特定の時間における、たとえば、干渉測定動作６２８の制御下での、干渉の測定を行うことができる。
【００６６】
[0078]さらに、フェムトセル性能情報は、近くのマクロセル（または近くのフェムトセル）からフェムトセル６０２にハンドオーバするかもしれないユーザについての情報を含み得る。たとえば、フェムトセル６０２にハンドオーバする可能性がある、近くのユーザの数、それらのユーザの識別用情報、それらのユーザが自身のフェムトセルへのアクセスを、フェムトセル６０２の加入者および／または関連ユーザによる使用のために開放したかどうか、そのような開放に対してどのようなインセンティブまたはクレジットが付与されているかなどのような情報が、以下で説明するように、アクセスを開放するためのフェムトセル共有機会７０２の存在を決定する際に有用であり得る。いくつかの例では、近くのユーザに対応するこの情報の収集は、ユーザのＵＥと、もしくは近くのセルと通信しているＷＷＡＮトランシーバ６０６の一方もしくは両方によって、またはネットワーク通信インターフェース６１０を使用して、この情報についてネットワークを照会することによって実装され得る。
【００６７】
[0079]ステップ８０２で取得されたフェムトセル性能情報に従って、ステップ８０４で、フェムトセル６０２は、フェムトセル６０２向けの認可ユーザのセットの外部のユーザに対してアクセスを開放することが加入者にとって有益であるか、または少なくとも実質的に有害ではないように、フェムトセル６０２に共有機会が存在するかどうか決定することができる。たとえば、プロセッサ６０４は、オープンアクセスが付与されている場合、１つまたは複数の非関連ＵＥに対して利用可能にされ得る余剰バックホール容量が、閾値（たとえば、所定のバックホール容量閾値）よりも大きいかどうか決定することができる。追加または代替として、プロセッサ６０４は、近くのユーザに対するアクセスの付与が、フェムトセル６０２を使っているユーザへの干渉を低減することになるかどうか決定することができる。たとえば、近くのセルの１人または複数のユーザが、フェムトセル６０２のユーザに悪影響を与える、比較的大量の望ましくない干渉を引き起こしている場合、干渉ユーザをフェムトセル６０２にハンドオーバさせることが、フェムトセル６０２のユーザにとって有益であり得る。当然ながら、アクセスを開放するためのフェムトセル機会が存在するかどうかをステップ８０４で決定するための、ステップ８０２で取得されたフェムトセル性能情報に対応する他の検討事項も生じ得る。
【００６８】
[0080]そのような機会がない場合、プロセスはステップ８０６に進めばよく、ここでフェムトセル６０２は、クローズドアクセスを、すなわち、フェムトセル６０２の認可ユーザに対してのみアクセスを提供することによって維持することができる。一方、このようなフェムトセル機会が存在する場合、プロセスはステップ８０８に進んでよい。
【００６９】
[0081]ステップ８０８で、フェムトセル６０２は、オペレータのネットワークに対応する特定のネットワーク性能情報を取得することができ、この情報は、ネットワーク機会７０４が存在するかどうかについて、フェムトセル６０２に知らせることができ、ここにおいて、フェムトセル６０２へのオープンアクセスの供給は、オペレータのネットワークに利益を与えることになる。たとえば、ネットワーク性能情報は、コアネットワークからフェムトセル６０２によって取得されたマクロセル輻輳情報を含んでよく、この情報は、フェムトセル６０２によって、そのバックホール接続を通して、すなわち、ネットワーク通信インターフェース６１０を使用して、問合せを行うことによって取得され得る。別の例では、フェムトセルは、いくつかのケースでは輻輳レベルを示し得る、マクロセルによってブロードキャストされるシステム情報ブロック（ＳＩＢ）を読むことによって、マクロセル輻輳情報を取得することができる。概して、オープンアクセスのためのインセンティブを提供するかどうか、または特定の時間にフェムトセル６０２へのアクセスをオープンするかどうかの決定を支援し得る、ネットワーク性能に対応するどの適した情報も、フェムトセル６０２に提供され得る。
【００７０】
[0082]ステップ８０８で取得されたネットワーク性能情報に従って、ステップ８１０で、フェムトセル６０２は、上述したように、オープンアクセスのためのインセンティブを与えるための、またはフェムトセル６０２へのアクセスをオープンするための、その１つの隣接マクロセル向けの共有機会が存在するかどうか決定することができる。たとえば、プロセッサ６０４は、１人または複数のユーザをフェムトセル６０２にオフロードすることが、マクロセルにおける輻輳を、適切な閾値よりも大きい量だけ低減することになるかどうか、またはそのようなオフローディングが、マクロセルへの、もしくはマクロセルのユーザへの干渉を、適切な閾値よりも大きい量だけ低減することになるかどうか決定することができる。
【００７１】
[0083]そのような機会がない場合、プロセスはステップ８０６に進めばよく、ここでフェムトセル６０２は、クローズドアクセスを、すなわち、フェムトセル６０２の認可ユーザに対してのみアクセスを提供することによって維持することができる。一方、このようなネットワーク機会が存在する場合、プロセスはステップ８１２に進んでよく、ここでフェムトセル６０２は、フェムトセル６０２についての認可セットの外部の１人または複数のユーザに対してアクセスを開放してよい。ここで、フェムトセル６０２がそのアクセスを開放すると決定するいくつかの例では、フェムトセル６０２自体が、１つまたは複数の非関連ＵＥに対してアクセスをオープンするという決定を行い得る。他の例では、フェムトセル６０２は、そのアクセスを開放するための命令を、外部ノードから受信する場合があり、ここにおいて、決定は外部ノードにおいて行われる。
【００７２】
[0084]このようにして、フェムトセル６０２は、上述した「ウィンウィン」シナリオが現時点で存在するかどうか決定することができる。つまり、フェムトセル機会とネットワーク機会の両方が存在するとき、フェムトセルへのアクセスのオープンは、フェムトセル６０２の立場と、ネットワークオペレータの立場の両方から最も所望され得る。
【００７３】
[0085]フェムトセル６０２は、アクセスを開放するとき、必ずしも、そのエアインターフェースを介してフェムトセル６０２と通信することが可能であり得る、それに近接しているすべてのＵＥに対してアクセスを開放するとは限らない場合がある。たとえば、クローズドアクセスフェムトセルはハイブリッドアクセスフェムトセルになる場合があり、ここにおいて、加入者に元から関連付けられている認可ユーザに対してだけではなく、認可ユーザのセットの一部ではない１つまたは複数の他のＵＥに対しても、アクセスが付与され得る。ここで、１つまたは複数の他のＵＥは、たとえば、アクセスが付与され得る特定のＵＥの１つまたは複数の特性に従って、フェムトセル６０２によって選択され得る。たとえば、フェムトセル６０２へのアクセスについての異なる優先度が、どの加入者が自身のフェムトセルへのアクセスを、このフェムトセル６０２の加入者に開放したかに従って付与され得る。
【００７４】
[0086]フェムトセル６０２が１つまたは複数の非関連ＵＥに対してアクセスを開放すると、ステップ８１４で、加入者はインセンティブクレジットを受信し得る。インセンティブクレジットは、どの適したソースから受信されてもよく、必ずしもフェムトセル６０２に直接通信されなくてよく、加入者のアカウントに蓄積するだけでよい。
【００７５】
[0087]図９および図１０は、本開示のいくつかの態様による、フェムトセル６０２へのアクセスを開放するかどうか決定するために利用され得る、ステップ８１２に対応するプロセスの２つの例を示すフローチャートである。具体的には、図９を参照すると、プロセス９００が示されており、ここでフェムトセル６０２は、フェムトセル６０２が決断を行うのを支援し得る特定の情報の供給以外は、マクロセルの関与なしで、アクセスを開放するかどうかを自律的に決定するのに、アクセス付与動作６２０を使用することができる。図１０を参照すると、プロセス１０００が示されており、ここで、マクロセルまたは他の適切なネットワークノードが、フェムトセル６０２におけるアクセスを開放するかどうかの決定に関与し、そのエアインターフェースを１つまたは複数の非関連ＵＥに対して開放するための命令をフェムトセル６０２に送信することができる。
【００７６】
[0088]ここで図９を参照すると、プロセス９００は、図８に示されるプロセス８００のステップ８１２に対応し得る。ステップ９０２で、ここにおいて、フェムトセル６０２は、ステップ８０２で取得されたフェムトセル性能情報および／またはステップ８０８で取得されたネットワーク性能情報など、１つまたは複数のパラメータを決定することができる。たとえば、フェムトセル６０２は、フェムトセル６０２の場所で、隣接マクロセルのチャネル条件などの特性を測定するのに、ＷＷＡＮトランシーバ６０６を使用することができる。さらに、フェムトセル６０２は、１つまたは複数の非関連ＵＥに対してアクセスを開放するのをサポートするための余剰容量をフェムトセル６０２が有するかどうか決定するのに、バックホール利用可能性決定動作６２２および／またはセルローディング決定動作６３０のうちの一方または両方を使用することができる。その後、フェムトセル６０２は、それ自体が余剰容量を有するかどうかと、隣接マクロセルがビジーであると検出されたかどうかとを決定することができる。
【００７７】
[0089]ステップ９０４で、フェムトセル６０２は、利益をえるＵＥ（すなわち、現時点でＵＥが留まっているマクロセルから、フェムトセル６０２にハンドオーバすることができるＵＥ）のマクロセルデータレートを推定することができる。いくつかの例では、この推定は、ステップ９０２でフェムトセル６０２によって決定されたマクロセルチャネル条件に基づき得る。別の例では、この推定は、フェムトセル６０２と、その近辺のマクロセルとの間の距離に基づき得る。さらに、ステップ９０６で、フェムトセル６０２は、フェムトセル６０２に最も近いマクロセルに対応するトラフィック負荷情報を取り出すことができる。
【００７８】
[0090]この情報を用いて、ステップ９０８で、フェムトセル６０２は、マクロセルのトラフィック負荷が、適切な閾値（たとえば、所定のマクロセルローディング閾値）よりも大きいかどうか決定することができる。さらに、ステップ９１０で、フェムトセル６０２は、フェムトセル６０２にハンドオーバし得るＵＥについてのマクロセルデータレートが、フェムトセル６０２によって供給され得るデータレート未満かどうか決定することができる。ここで、これらの問合せのいずれかに対して回答がいいえである場合、プロセスはステップ９１２に進めばよく、ここでフェムトセル６０２はクローズドアクセスを維持してよいが、これらの問合せの両方に対して回答がはいである場合、プロセスはステップ９１４に進めばよく、ここでフェムトセル６０２は、そのエアインターフェースへのアクセスを、認可されたＵＥセットの外部の１つまたは複数のＵＥに対して開放するかどうか決定してよい。
【００７９】
[0091]ここで図１０を参照すると、やはり、プロセス１０００は図８のステップ８１２に対応し得るが、この場合、フェムトセル６０２へのアクセスを開放するかどうかの決断には、図３を参照すると、マクロセル３０８、ＲＮＣ３０６、コアネットワーク３０４中のノード、および／またはインターネット３２２などのパケット交換ネットワークに接続されたサーバを含むが、それらに限定されない、適切なネットワークノードが関与し得る。
【００８０】
[0092]ステップ１００２で、フェムトセル６０２は、隣接マクロセルと通信するための、Ｘ２インターフェース（ＬＴＥネットワークにおいて使用される）などの通信インターフェースを確立することができる。たとえば、フェムトセル６０２は、ネットワーク通信インターフェース６１０および／またはフェムト内通信インターフェース６１２のうちの一方または両方を、１つまたは複数の隣接マクロセルとのＸ２インターフェースを介した通信に使用することができる。
【００８１】
[0093]確立されたＸ２インターフェースを用いて、フェムトセル６０２は、そのトラフィック負荷レベルに関する情報を、１つまたは複数の隣接マクロセルから取得することができる。たとえば、ステップ１００４で、マクロセルは、そのトラフィック負荷が閾値（たとえば、所定のトラフィックローディング閾値）よりも大きいかどうか決定することができ、はいの場合、ステップ１００６で、マクロセルは、Ｘ２インターフェースを経由して、フェムトセル６０２に、そのトラフィックローディングレベルを送信することができる。
【００８２】
[0094]ステップ１００８で、フェムトセル６０２は、１つまたは複数の非関連ＵＥへのサービスの提供をサポートするための容量を有するかどうか決定することができる。たとえば、フェムトセル６０２は、１つまたは複数の非関連ＵＥをサポートするのに十分な容量をフェムトセル６０２が有するかどうか決定するのに、バックホール利用可能性決定動作６２２、干渉測定動作６２８、および／またはセルローディング決定動作６３０を使用することができる。ここで、フェムトセル６０２が十分な容量を有し、マクロセルが報告によるとビジーである場合、ステップ１０１０で、フェムトセル６０２は、フェムトセル６０２へのアクセスを開放するかどうかに関する決定を支援するための特定の情報をネットワークに送信してよい。たとえば、フェムトセル６０２は、マクロセルチャネル条件、フェムトセル容量、および／またはレポートによるとビジーなマクロセルにおけるトラフィックローディングに対応する情報を、ネットワークに送信することができる。
【００８３】
[0095]ステップ１０１２で、ネットワークは、利益を得るＵＥ（すなわち、現時点でＵＥが留まっているマクロセルから、フェムトセル６０２にハンドオーバすることができるＵＥ）のマクロセルデータレートを推定することができる。いくつかの例では、この推定は、マクロセルチャネル条件に基づき得る。別の例では、この推定は、フェムトセル６０２と、その近辺のマクロセルとの間の距離に基づき得る。
【００８４】
[0096]この情報を用いて、ステップ１０１４で、ネットワークは、マクロセルにおけるトラフィック負荷が、適切な閾値（たとえば、所定のマクロセルローディング閾値）よりも大きいかどうか決定することができる。さらに、ステップ１０１６で、ネットワークは、フェムトセル６０２にハンドオーバし得るＵＥについてのマクロセルデータレートが、フェムトセル６０２によって供給され得るデータレート未満かどうか決定することができる。これらの問合せのいずれかに対して回答がいいえである場合、プロセスはステップ１０１８に進めばよく、ここでネットワークは、フェムトセル６０２に、クローズドアクセスを維持するよう命令してよいが、これらの問合せの両方に対して回答がはいである場合、プロセスはステップ１０２０に進めばよく、ここでネットワークは、フェムトセル６０２に、そのエアインターフェースへのアクセスを、認可されたＵＥセットの外部の１つまたは複数のＵＥに対して開放するよう命令してよい。
【００８５】
与えるべきインセンティブの量  
[0097]本明細書に記載するインセンティブ方式を用いて、固定クレジット投入方式または適応クレジット投入方式のうちの一方または両方を使用する加入者および／または関連ユーザにインセンティブが供給され得る。
【００８６】
[0098]固定クレジット投入を用いると、フェムトセル６０２へのアクセスを開放するための、加入者および／または関連ユーザに与えられるクレジットの量は、加入者に自分のフェムトセルを公共使用のために開放させるのに十分な程大きいが、オペレータに対して純損失を生じないように十分に小さくなるように構成された一定の量に固定され得る。概して、固定クレジット投入モデルを使うとき、オープンアクセスフェムトセルを所有するマクロセルユーザの比率は、オープンアクセスフェムトセルの所有者に供給される固定クレジットの量の増加とともに線形に増大し得る。ただし、ネットワーク容量は、オープンアクセスフェムトセルの数が増加すると、逆指数関数的に増えるだけである。
【００８７】
[0099]本開示のいくつかの態様では、ネットワークオペレータは、ネットワークの残りに対するフェムトセルの寄与に応じた（たとえば、比例する）量のインセンティブを、加入者に与えることができる。この方式は、適応クレジット投入と呼ばれ得る。たとえば、高電力マクロセルが実質的にはロードされないとき、近くのフェムトセルにユーザをオフロードする必要はなく、したがって、オフロードは、ネットワークの残りに対して多大な利益をもたらすわけではない。一方、高電力マクロセルが重くロードされているとき、近くのフェムトセルにユーザをオフロードすることは、全体的ネットワーク性能に対して利益をもたらすことになり、したがって、これらのときに、加入者が自分のフェムトセルへのアクセスを開放するためのインセンティブは有益である。
【００８８】
[00100]ここで、ネットワークの残りに対するフェムトセルの寄与は、（１）マクロセルにおける過容量もしくは輻輳、および／または（２）マクロセルとフェムトセルとの間の干渉の重大度に従って量子化され得る。つまり、ネットワークに対するフェムトセルの寄与は、マクロセルにおける容量もしくは輻輳の低減の量、またはマクロセルとフェムトセルとの間の干渉の低減の量に応じ得る。
【００８９】
[00101]適応クレジット投入を用いると、オペレータは、オープンアクセスの追加付与がネットワークを助けることにならないとき、あまりにも多くのクレジットを与えることを低減または防止するために、オープンアクセスを与えることを奨励するための、適切な量のクレジットを与えるだけでよい。ここで、供給するべきクレジットの量は、様々なパラメータ、たとえば、利益を得る加入者（すなわち、オープンアクセスフェムトセルにハンドオーバするＵＥ）のマクロセルデータレート、平均マクロセルデータレート、フェムトセル６０２によってサービスされる、利益を得るＵＥのトラフィックの量、ネットワーク総トラフィック負荷、またはトラフィックビットごとの値のうちの１つまたは複数に依存し得る。
【００９０】
インセンティブのタイプ  
[00102]本明細書に記載する様々なインセンティブ方式は、加入者を、自分のフェムトセル６０２へのアクセスを開放するように動機づけるための様々なタイプのインセンティブのうちのどの１つまたは複数も、加入者に与えることができる。たとえば、本明細書に記載するいくつかのインセンティブタイプは、オペレータインセンティブ、自己インセンティブ、および／または分散型インセンティブを含み得る。
【００９１】
[00103]オペレータインセンティブは、集中型インセンティブとも呼ばれ得るが、フェムトセルがアクセスを提供するネットワークのオペレータから加入者および／またはその関連ユーザに供給されるインセンティブを含む。オペレータインセンティブは、いくつかの異なる形で与えることができる。たとえば、加入者には、その加入者、または加入者に関連付けられた他のユーザが、加入者のネットワーク上のマクロセルにアクセスするときに使用可能なプレミアムが供給され得る。ここで、加入者または関連ユーザは、自分のフェムトセルの近辺を離れると、追加または増大データ割当て量、マクロセルによって与えられる増大最小データレート保証、より高いＡＲＰなどを受信し得る。別の例では、加入者または関連ユーザは、空港、コーヒーショップなどのような場所での無料または割引価格Ｗｉ−Ｆｉ（登録商標）ホットスポットアクセスを受けることができる。さらに別の例では、加入者または関連ユーザはいくつかの報酬ポイントを受け取ることができ、これらのポイントは、セルラー通信ネットワークの使用に必ずしも関するわけではない、オペレータの事業パートナーとの商品またはサービスを購入するために使うことができる。さらに別の例では、オープンアクセスが付与されるフェムトセルには、より高いバックホールデータレートが供給され得る。ここで、バックホールオペレータ（たとえば、ユーザのインターネットサービスプロバイダ）とワイヤレスネットワークオペレータは同じエンティティであっても、互いと協力してもよい。
【００９２】
[00104]様々な例において、そのようなオペレータインセンティブは、加入者／所有者が非関連ユーザに付与する使用量、ならびにそのような使用が付与された時刻に基づき得る。
【００９３】
[00105]自己インセンティブは、フェムトセルへのアクセスを非関連ユーザに対してオープンすることにより、加入者または関連ユーザに本質的に蓄積するインセンティブを含む。たとえば、近くのＵＥが隣接マクロセルに留まっている場合、それらのＵＥは、比較的高い電力で送信中である可能性があり、フェムトセルを使用しようと試みている加入者または関連ユーザに対して大量の干渉を潜在的に生じる。したがって、フェムトセルの所有者は、加入者または関連ユーザに供給されるＱｏＳまたはＱｏＥが、干渉の低減により、より高くなるように、他の所有者に対してアクセスを開放することを望み得る。
【００９４】
[00106]分散型インセンティブは、概して共同で、２つ以上のフェムトセルによる協調作業で、および／またはそれらのフェムトセルの間で決定されるインセンティブを含む。たとえば、分散型インセンティブは、あるフェムトセルにおいて優先されるスケジューリングを、自身のフェムトセルを他の人が使うために開放した加入者またはその関連ユーザに付与することを含み得る。別の例では、隣接フェムトセルの加入者または関連ユーザが供給側フェムトセルにアクセスすることができるとき、フェムトセルが、隣接フェムトセルの加入者またはその関連ユーザに干渉緩和を供給することができる。
【００９５】
分散型インセンティブ  
[00107]本開示のいくつかの態様によると、フェムトセル６０２は、上述したように、分散型インセンティブを決定するように構成され得る。ここで、（たとえば、以下でさらに詳しく説明するように、分散型インセンティブの決定のために）複数のフェムトセルの間の協調を円滑にするために、本開示のある態様では、フェムトセル６０２はフェムト内通信インターフェース６１２を含み得る。フェムト内通信インターフェース６１２は、どの適切なワイヤードまたはワイヤレス通信インターフェースであってもよく、いくつかの例では、ネットワーク通信インターフェース６１０と一体であってよく、他の例では、別個の専用フェムト内通信インターフェースであってよい。
【００９６】
[00108]図１１は、本開示の１つまたは複数の態様による、分散型インセンティブを決定するための、フェムトセル６０２において動作可能な例示的プロセス１１００を示すフローチャートである。
【００９７】
[00109]ステップ１１０２で、フェムトセル６０２は、その関連ＵＥのリストを隣接フェムトセルに送信することができる。つまり、フェムトセル６０２は、その関連モバイルデバイス（たとえば、クローズド加入者グループＣＳＧの一部であるか、または場合によってはフェムトセル６０２に関連付けられたＵＥ）のリストを１つもしくは複数の隣接フェムトセルに、および／またはネットワークに通信するのに、フェムト内通信インターフェース６１２および／またはネットワーク通信インターフェース６１０の一方または両方を使用すればよい。同様に、ステップ１１０４で、フェムトセル６０２は、関与する隣接フェムトセルに関連付けられたＵＥのリストを（たとえば、非関連ＵＥ使用情報ブロック６２６で）受信し、記憶することができる。このようにして、フェムトセル６０２は、それらのＵＥを、そのエアインターフェースリソースへのアクセスに対して優先することを可能にされ得る。
【００９８】
[00110]さらに、各フェムトセル６０２は、特定の隣接フェムトセルがそのフェムトセル６０２のユーザに付与する使用を考慮に入れてよい。この目的のために、ステップ１１０６で、フェムトセル６０２が非関連ＵＥにアクセスを付与するとき、フェムトセル６０２は、非関連ＵＥ使用情報６２６を、そのメモリ６０８に記憶すればよい。さらに、ステップ１１０８で、フェムトセル６０２は、たとえば、フェムト内通信インターフェース６１２を使用して、非関連ＵＥ使用情報をそれぞれのフェムトセルに送信すればよい。このようにして、フェムトセルは、相互の’関連ユーザに付与された使用についての情報を共有することができ、この情報を、各フェムトセルはしたがって、特定のフェムトセルによってインセンティブが（たとえば、他のフェムトセルの関連ＵＥにアクセスを付与するために）獲得されるかどうか、および／またはそのアクセスを、隣接フェムトセルに対応する特定のＵＥに対してオープンするかどうか決定する際に使用することができる。当然ながら、本開示の様々な態様において、「隣接フェムトセル」は、特定のフェムトセルに対して必ずしもあまり近くに置かれなくてもよく、ネットワーク中の他のどのフェムトセルであってもよい。
【００９９】
[00111]この情報を用いて、フェムトセルが、ネイバー／パートナーフェムトセルに属すＵＥにグループアクセスを提供することができるように、協調分散方式で、フェムトセルによってインセンティブが決定されてよく、ここにおいて、いくつかのＵＥには、それ以外のやり方でマクロセルから得るであろうよりも優れたＱｏＳが提供されてよく、または他の適切なインセンティブが提供されてよい。
【０１００】
[00112]したがって、ステップ１１１０で、フェムトセル６０２は、パートナーのフェムトセルに関連付けられた１つまたは複数のＵＥにアクセスを付与したことに応答して、対応するインセンティブクレジットを受け取り得る。
【０１０１】
[00113]電気通信システムのいくつかの態様が、Ｗ−ＣＤＭＡシステムを参照して提示されてきた。当業者なら容易に諒解するように、本開示全体にわたって説明した様々な態様は、他の電気通信システム、ネットワークアーキテクチャおよび通信規格に拡張され得る。
【０１０２】
[00114]例として、様々な態様は、ＴＤ−ＳＣＤＭＡおよびＴＤ−ＣＤＭＡなどの他のＵＭＴＳシステムに拡張され得る。様々な態様は、（ＦＤＤ、ＴＤＤ、または両モードでの）ロングタームエボリューション（ＬＴＥ）、（ＦＤＤ、ＴＤＤ、または両モードでの）ＬＴＥアドバンスト（ＬＴＥ−Ａ）、ＣＤＭＡ２０００、エボリューションデータ最適化（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、ウルトラワイドバンド（ＵＷＢ）、Ｂｌｕｅｔｏｏｔｈ（登録商標）、および／または他の適切なシステムを採用するシステムにも拡張され得る。採用される実際の電気通信規格、ネットワークアーキテクチャ、および／または通信規格は、特定の適用例およびシステムに課された全体的な設計制約に依存することになる。
【０１０３】
[00115]具体的には、本開示の１つまたは複数の態様は、ＬＴＥアドバンストを利用するシステムにおいて実装され得る。つまり、ｅＵＴＲＡ（ＬＴＥ）のための３ＧＰＰリリース８および９規格では、セル間干渉協調（ＩＣＩＣ、セル間干渉除去ともいう）フレームワークが採用され、いくつかの無線リソース管理プロトコルがセル間干渉を低減することを可能にしている。ここで、時間および周波数領域内でのリソースの割当て、ならびに送信電力方式は、セルエッジにおけるＵＥに、ネイバーセルによって送信されるものと同じリソースが割り当てられる見込みが比較的低くなるように、隣接セルの間で、それらのＸ２インターフェースを使用して協調され得る。このようにして、セルエッジにおけるＵＥに悪影響を与え得る、隣接セルからの干渉が低減され得る。
【０１０４】
[00116]ＬＴＥアドバンスト（すなわち、ｅＵＴＲＡのためのリリース１０規格）では、拡張ＩＣＩＣフレームワーク（ｅＩＣＩＣ）が採用され、異種ネットワークにおける干渉問題を扱うようにＩＣＩＣを拡張している。リリース８ＩＣＩＣフレームワークでのように、ｅＩＣＩＣは、隣接セルからの干渉を低減するのに、電力、周波数、および時間領域リソース協調を使用する。さらに、ｅＩＣＩＣは、オールモストブランクサブフレーム（ＡＢＳ）の概念を採用しており、そこでは、マクロセルは、隣接または重複する低電力セルが、それらのデータを送信するのに、同じサブフレームを使用することができるように、非常に低い電力で制御情報のみを運ぶようにＡＢＳを構成することができ、マクロセルからの干渉を低減または回避する。
【０１０５】
[00117]さらに、ＬＴＥアドバンストは、セル範囲拡大（ＣＲＥ）の概念を含み、そこでは、ＵＥは、低ＳＩＮＲシナリオにおいて、低電力セルと接続されたままであることを可能にされ、低電力セルの範囲を効果的に増大する。このセル範囲拡大は概して、ＵＥおよびダウンリンク干渉除去方式におけるより高度な受信機の使用で可能にされる。
【０１０６】
[00118]本開示のある態様によると、この干渉協調／消去フレームワークは、フェムトセルへのアクセスを開放するための暗黙的インセンティブを与えるのに活用され得る。ここで、「暗黙的」は、フェムトセル所有者に対する直接的、金銭的または均等な補償は含まないが、オープンアクセスフェムトセルユーザおよび／または所有者に付与され得る利益または利点を概して含むインセンティブを包含することを意図している。たとえば、上述したｅＩＣＩＣフレームワーク、および／または範囲拡大特徴は、フェムトセルが非関連ＵＥに対してアクセスを開放したとき、可能にされ得る。このようにして、オープンアクセスフェムトセルを使用するＵＥ向けのスループットは、クローズドアクセスフェムトセル用に利用可能なものと比較して増大され得る。
【０１０７】
[00119]つまり、本開示のある態様によると、非関連ＵＥに対してアクセスを開放するために供給されるインセンティブにより、オープンアクセスフェムトセルは、より高い通常／ピークスループットをサポートすることができ、より良好なユーザエクスペリエンスを供給する。
【０１０８】
[00120]たとえば、クローズドアクセスフェムトセルは、そのＵＥに１０Ｍｂｐｓスループットを供給するだけであり得るが、本開示のある態様では、ｅＩＣＩＣフレームワークのおかげで、オープンアクセスフェムトセルには、２０Ｍｂｐｓのスループットが供給され得る。
【０１０９】
[00121]さらに、オープンアクセスフェムトセルのためのより広いカバレージエリアを生じる、オープンアクセスフェムトセルのためのＬＴＥ−Ａ範囲拡大を可能にするおかげで、オープンアクセスフェムトセルのユーザは、フェムトセルのカバレージエリア内により頻繁に留まることができる。多くのケースでは、専用フェムトセル内でのデータ使用は、加入によりユーザに割り振られた毎月のデータ割当て量から控除されない。したがって、これらのユーザは、自分のデータまたは分の割当て量を使用することなく、自分のフェムトセルをより頻繁に使うので、「効果的」なデータ割当て量増大が生じ得る。
【０１１０】
[00122]図１２は、本開示のある態様による、ｅＩＣＩＣと範囲拡大とを使用するインセンティブ方式の略図である。ここで、このインセンティブ方式は、上述したインセンティブ方式のうちの任意の１つまたは複数の代わりに、またはそれらに加えて使用され得る。
【０１１１】
[00123]この図示において、マクロセル１２０２が、大きい円１２０４によって指定される、そのサービスエリアの中心に示されている。サービスエリア１２０４内には、２つのフェムトセル、すなわちクローズドアクセスフェムトセル１２０６、およびオープンアクセスフェムトセル１２０８が配置される。これらのフェムトセルの各々は、それぞれ、そのサービスエリア１２１０および１２１２で囲まれる。ただし、上述したように、本開示のある態様によると、フェムトセルへのアクセスを開放するためのインセンティブとして、オープンアクセスフェムトセル１２０８は、拡大サービスエリア１２１４によってさらに囲まれる。
【０１１２】
[00124]いくつかのＵＥが、サービスエリア１２０４全体に配置されて示されている。たとえば、「マクロＵＥ」１２１６が示されており、ここにおいてマクロＵＥは、マクロセル１２０２によってサービスを提供されている。「クローズドフェムトＵＥ」１２１８も示されており、ここにおいてクローズドフェムトＵＥは、クローズドアクセスフェムトセル１２０６によってサービスを提供されている。さらに、「オープンフェムトＵＥ」１２２０が、オープンアクセスフェムトセル１２０８のサービスエリア中に示され、「オープンフェムトＣＲＥ  ＵＥ」１２２２が、オープンアクセスフェムトセル１２０８の拡大範囲サービスエリア中に示されている。
【０１１３】
[00125]図１２の右側には、マクロＵＥ１２１６、クローズドフェムトＵＥ１２１８、オープンフェムトＵＥ１２２０、およびオープンフェムトＣＲＥ  ＵＥ１２２２の各々のためのフレームの例を示す図解も示されている。
【０１１４】
[00126]これらの図解に見られるように、各フレームは、０〜７と標示される８つのサブフレームで標示される。図示される例において、マクロＵＥ１２１６には（グレー表示されたサブフレームによって示される）サブフレーム０〜２が割り当てられ、クローズドフェムトＵＥ１２１８にはサブフレーム３〜７が割り当てられる。そうすることによって、これらのサブフレーム割当てを用いると、マクロセル１２０２とクローズドフェムトセル１２０６との間の干渉が実質的に低減され得るが、明らかに、スループットの低減が起き得る。
【０１１５】
[00127]したがって、本開示のある態様では、１つまたは複数の非関連ＵＥに対してオープンアクセスを付与するための、オープンアクセスフェムトセル１２０８に付与されるインセンティブとして、オープンアクセスフェムトセル１２０８の標準サービスエリア中のオープンフェムトＵＥ１２２０には、図示されるように、すべてのサブフレーム０〜７中のデータが割り当てられ得る。つまり、クローズドフェムトセル１２０６は非関連ＵＥにオープンアクセスを供給していないので、クローズドフェムトセル１２０６は、その関連ＵＥ用にすべてのサブフレーム０〜７を使用することを可能にされない場合がある。ただし、一例では、オープンフェムトセル１２０８用にｅＩＣＩＣを可能にすること、または別の例では、そうではなくＵＥが、非関連ＵＥに対するアクセスの開放の見返りとして、低電力基地局のセルカバレージエリアの少なくとも一部において追加リソースを使用することを認可することによって、より大きい数のサブフレームが、オープンアクセスフェムトセル１２０８の標準サービスエリア１２１２中のＵＥ１２２０によって使用されることが可能であり、そうすることによって、そのＵＥ向けの増大スループットを可能にする。
【０１１６】
[00128]本開示のさらなる態様において、オープンフェムトＣＲＥ  ＵＥは、上述したＬＴＥアドバンストセル範囲拡大（ＣＲＥ）特徴に対応するサービスエリア中のＵＥである。この例に示したように、範囲拡大特徴を使用するＵＥ１２２２には、（この例では、上述したように、サブフレーム０〜２が割り当てられる）マクロＵＥ１２１６との干渉が低減され得るように、サブフレーム３〜７を割り当てればよい。ここで、１つまたは複数の非関連ＵＥに対するアクセスの開放の見返りに、オープンアクセスフェムトセル１２０８に対するセル範囲拡大を可能にすることによって、オープンアクセスフェムトセル１２０８のユーザ（オープンフェムトＣＲＥ  ＵＥ１２２など）は、マクロセル１２０２を使用するための加入に対応するデータ使用を低減し得るだけではなく、マクロＵＥ１２１６と比較して、潜在的に増大したスループットをさらに有し得る。
【０１１７】
[00129]開示した方法におけるステップの特定の順序または階層は例示的な処理を示していることを理解されたい。設計上の選好に基づいて、方法におけるステップの特定の順序または階層は、並べ替えられ得ることを理解されたい。添付の方法クレームは、様々なステップの要素を例示的な順序で提示し、本明細書で特に説明されない限り、提示された特定の順序または階層に限定されるものではない。
【０１１８】
[00130]以上の説明は、いかなる当業者も本明細書に記載された様々な態様を実行することを可能にするために提供される。これらの態様への様々な変更は、当業者には容易に明らかとなり、本明細書で規定される一般的原理は、他の態様に適用されてもよい。したがって、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二」を意味するものではなく、むしろ「１つまたは複数」を意味するものである。別段に明記されない限り、「いくつか」という語は１つまたは複数を表す。項目のリスト「のうちの少なくとも１つ」を指す語句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。当業者に知られている、または後に知られるようになる、本開示全体にわたって説明する様々な態様の要素の構造的および機能的な均等物のすべては、参照により本明細書に明確に組み込まれ、特許請求の範囲によって包含されるように意図されている。その上、本明細書で開示する内容は、そのような開示が特許請求の範囲で明示的に記載されているかどうかにかかわらず、公に供することは意図されていない。いかなるクレーム要素も、その要素が「ための手段」という語句を使用して明確に列挙されていない限り、または方法クレームの場合には、その要素が「ためのステップ」という語句を使用して列挙されていない限り、米国特許法第１１２条第６項の規定に基づいて解釈されるべきではない。
以下に、本願出願の当初の特許請求の範囲に記載された発明を付記する。
［Ｃ１］
低電力基地局において動作可能なワイヤレス通信の方法であって、
前記低電力基地局において共有機会が存在すると決定することと、
隣接マクロセルにおいて共有機会が存在すると決定することと、
前記低電力基地局によって提供されるエアインターフェースへのアクセスを、前記低電力基地局に関連付けられたＵＥのセットの外部のユーザ機器（ＵＥ）に提供することと、
前記エアインターフェースへのアクセスの前記提供に応答してインセンティブクレジットを受信することと
を備える、方法。
［Ｃ２］
前記低電力基地局において前記共有機会が存在すると前記決定することは、
閾値よりも大きい量の余剰バックホール容量が、前記低電力セルにとって利用可能であると決定することを備える、［Ｃ１］に記載の方法。
［Ｃ３］
前記低電力基地局において前記共有機会が存在すると前記決定することは、
前記エアインターフェースへの干渉は、前記低電力基地局に関連付けられた前記ＵＥセットの外部のＵＥに対する、前記エアインターフェースへのアクセスの前記提供によって低減されると決定することを備える、
［Ｃ１］に記載の方法。
［Ｃ４］
前記隣接マクロセルにおいて前記共有機会が存在すると前記決定することは、
前記ＵＥを前記隣接マクロセルから前記低電力基地局にオフロードすることが、前記隣接マクロセルにおける輻輳または干渉を、所定の閾値よりも大きい量だけ低減すると決定することを備える、
［Ｃ１］に記載の方法。
［Ｃ５］
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉ（登録商標）ホットスポットアクセスのための割引価格もしくはクレジット、商品もしくはサービスを購入するための報酬ポイントもしくはクレジット、または前記低電力基地局におけるバックホール通信のためのより高いデータレートを備える、
［Ｃ１］に記載の方法。
［Ｃ６］
前記インセンティブクレジットは、少なくとも部分的には、前記ＵＥと関連付けられている低電力基地局によって決定されたインセンティブを備える、
［Ｃ１］に記載の方法。
［Ｃ７］
前記インセンティブクレジットは、前記ＵＥと関連付けられている前記低電力基地局における、優先されるスケジューリングまたは干渉緩和を備える、
［Ｃ６］に記載の方法。
［Ｃ８］
前記インセンティブクレジットは、前記エアインターフェースへのアクセスの前記提供によって与えられる、前記隣接マクロセルに対応するネットワークへの寄与の量に応じた量である、
［Ｃ１］に記載の方法。
［Ｃ９］
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
［Ｃ８］に記載の方法。
［Ｃ１０］
前記インセンティブクレジットは、３ＧＰＰリリース１０以降の仕様において定義される拡張セル間干渉協調（ｅＩＣＩＣ）特徴を可能にするための認可を備える、
［Ｃ１］に記載の方法。
［Ｃ１１］
前記インセンティブクレジットは、前記低電力基地局のセルカバレージエリアの少なくとも一部において追加無線リソースを使用するための認可を備える、
［Ｃ１］に記載の方法。
［Ｃ１２］
前記インセンティブクレジットは、３ＧＰＰリリース１０以降の仕様において定義されるセル範囲拡大特徴を可能にするための認可を備える、
［Ｃ１］に記載の方法。
［Ｃ１３］
低電力基地局へのアクセスの供給をインセンティブするための方法であって、
第１の低電力基地局から、前記第１の低電力基地局に関連付けられた１つまたは複数のＵＥのリストを受信することと、
第２の低電力基地局から、前記第２の低電力基地局における、アクセスの付与に対応する使用情報を、前記第１の低電力基地局に関連付けられた前記１つまたは複数のＵＥのうちのＵＥに送信することと、
前記第１の低電力基地局に関連付けられた前記ＵＥへのアクセスの前記付与に応答して、インセンティブクレジットを受信することと
を備える、方法。
［Ｃ１４］
ワイヤレス通信のために構成された低電力基地局であって、
前記低電力基地局において共有機会が存在すると決定するための手段と、
隣接マクロセルにおいて共有機会が存在すると決定するための手段と、
前記低電力基地局によって提供されるエアインターフェースへのアクセスを、前記低電力基地局に関連付けられたＵＥのセットの外部のユーザ機器（ＵＥ）に提供するための手段と、
前記エアインターフェースへのアクセスの前記提供に応答してインセンティブクレジットを受信するための手段と
を備える、低電力基地局。
［Ｃ１５］
前記低電力基地局において前記共有機会が存在すると決定するための前記手段は、
閾値よりも大きい量の余剰バックホール容量が、前記低電力セルにとって利用可能であると決定するための手段を備える、
［Ｃ１４］に記載の低電力基地局。
［Ｃ１６］
前記低電力基地局において前記共有機会が存在すると決定するための前記手段は、
前記エアインターフェースへの干渉が、前記低電力基地局に関連付けられた前記ＵＥセットの外部のＵＥに対する、前記エアインターフェースへのアクセスの前記提供によって低減されると決定するための手段を備える、
［Ｃ１４］に記載の低電力基地局。
［Ｃ１７］
前記隣接マクロセルにおいて前記共有機会が存在すると決定するための前記手段は、
前記ＵＥを前記隣接マクロセルから前記低電力基地局にオフロードすることは、前記隣接マクロセルにおける輻輳または干渉を、所定の閾値よりも大きい量だけ低減すると決定するための手段を備える、
［Ｃ１４］に記載の低電力基地局。
［Ｃ１８］
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
［Ｃ１４］に記載の低電力基地局。
［Ｃ１９］
前記インセンティブクレジットは、少なくとも部分的には、前記ＵＥと関連付けられている低電力基地局によって決定されたインセンティブを備える、
［Ｃ１４］に記載の低電力基地局。
［Ｃ２０］
前記インセンティブクレジットは、前記ＵＥと関連付けられている前記低電力基地局における、優先されるスケジューリングまたは干渉緩和を備える、
［Ｃ１９］に記載の低電力基地局。
［Ｃ２１］
前記インセンティブクレジットは、前記エアインターフェースへのアクセスの前記提供によって与えられる、前記隣接マクロセルに対応するネットワークへの寄与の量に応じた量である、
［Ｃ１４］に記載の低電力基地局。
［Ｃ２２］
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
［Ｃ２１］に記載の低電力基地局。
［Ｃ２３］
前記インセンティブクレジットは、３ＧＰＰリリース１０以降の仕様において定義される拡張セル間干渉協調（ｅＩＣＩＣ）特徴を可能にするための認可を備える、
［Ｃ１４］に記載の低電力基地局。
［Ｃ２４］
前記インセンティブクレジットは、前記低電力基地局のセルカバレージエリアの少なくとも一部において追加無線リソースを使用するための認可を備える、
［Ｃ１４］に記載の低電力基地局。
［Ｃ２５］
前記インセンティブクレジットは、３ＧＰＰリリース１０以降の仕様において定義されるセル範囲拡大特徴を可能にするための認可を備える、
［Ｃ１４］に記載の低電力基地局。
［Ｃ２６］
低電力基地局へのアクセスの供給を奨励するために構成された低電力基地局であって、
第１の低電力基地局から、前記第１の低電力基地局に関連付けられた１つまたは複数のＵＥのリストを受信するための手段と、
第２の低電力基地局から、前記第２の低電力基地局における、アクセスの付与に対応する使用情報を、前記第１の低電力基地局に関連付けられた前記１つまたは複数のＵＥのうちのＵＥに送信するための手段と、
前記第１の低電力基地局に関連付けられた前記ＵＥへのアクセスの前記付与に応答して、インセンティブクレジットを受信するための手段と
を備える、低電力基地局。
［Ｃ２７］
ワイヤレス通信のために構成された低電力基地局であって、
少なくとも１つのプロセッサと、
前記少なくとも１つのプロセッサに通信可能に結合されたメモリと、
エアインターフェースを介して１つまたは複数のユーザ機器（ＵＥ）と通信するための、前記少なくとも１つのプロセッサに通信可能に結合された通信インターフェースとを備え、
ここにおいて、前記少なくとも１つのプロセッサは、
前記低電力基地局において共有機会が存在すると決定することと、
隣接マクロセルにおいて共有機会が存在すると決定することと、
前記エアインターフェースへのアクセスを、前記低電力基地局に関連付けられたＵＥのセットの外部のＵＥに提供することと、
前記エアインターフェースへのアクセスの前記提供に応答してインセンティブクレジットを受信することと
を行うように構成される、低電力基地局。
［Ｃ２８］
前記低電力基地局において前記共有機会が存在すると決定するように構成された前記少なくとも１つのプロセッサは、閾値よりも大きい量の余剰バックホール容量が、前記低電力セルにとって利用可能であると決定することを行うようにさらに構成される、
［Ｃ２７］に記載の低電力基地局。
［Ｃ２９］
前記低電力基地局において前記共有機会が存在すると決定するように構成された前記少なくとも１つのプロセッサは、前記エアインターフェースへの干渉が、前記低電力基地局に関連付けられた前記ＵＥセットの外部のＵＥに対する、前記エアインターフェースへのアクセスの前記提供によって低減されると決定することを行うようにさらに構成される、
［Ｃ２７］に記載の低電力基地局。
［Ｃ３０］
前記隣接マクロセルにおいて前記共有機会が存在すると決定するように構成された前記少なくとも１つのプロセッサは、前記ＵＥを前記隣接マクロセルから前記低電力基地局にオフロードすることが、前記隣接マクロセルにおける輻輳または干渉を、所定の閾値よりも大きい量だけ低減すると決定することを行うようにさらに構成される、
［Ｃ２７］に記載の低電力基地局。
［Ｃ３１］
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
［Ｃ２７］に記載の低電力基地局。
［Ｃ３２］
前記インセンティブクレジットは、少なくとも部分的には、前記ＵＥと関連付けられている低電力基地局によって決定されたインセンティブを備える、
［Ｃ２７］に記載の低電力基地局。
［Ｃ３３］
前記インセンティブクレジットは、前記ＵＥと関連付けられている前記低電力基地局における、優先されるスケジューリングまたは干渉緩和を備える、
［Ｃ３２］に記載の低電力基地局。
［Ｃ３４］
前記インセンティブクレジットは、前記エアインターフェースへのアクセスの前記提供によって与えられる、前記隣接マクロセルに対応するネットワークへの寄与の量に応じた量である、
［Ｃ２７］に記載の低電力基地局。
［Ｃ３５］
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
［Ｃ３４］に記載の低電力基地局。
［Ｃ３６］
前記インセンティブクレジットは、３ＧＰＰリリース１０以降の仕様において定義される拡張セル間干渉協調（ｅＩＣＩＣ）特徴を可能にするための認可を備える、
［Ｃ２７］に記載の低電力基地局。
［Ｃ３７］
前記インセンティブクレジットは、前記低電力基地局のセルカバレージエリアの少なくとも一部において追加無線リソースを使用するための認可を備える、
［Ｃ２７］に記載の低電力基地局。
［Ｃ３８］
前記インセンティブクレジットは、３ＧＰＰリリース１０以降の仕様において定義されるセル範囲拡大特徴を可能にするための認可を備える、
［Ｃ２７］に記載の低電力基地局。
［Ｃ３９］
低電力基地局へのアクセスの供給を奨励するために構成された前記低電力基地局であって、
少なくとも１つのプロセッサと、
前記少なくとも１つのプロセッサに通信可能に結合されたメモリと、
エアインターフェースを介して１つまたは複数のユーザ機器（ＵＥ）と通信するための、前記少なくとも１つのプロセッサに通信可能に結合された通信インターフェースと、
１つまたは複数の外部低電力基地局と通信するためのフェムト内通信インターフェースとを備え、
ここにおいて、前記少なくとも１つのプロセッサは、
第１の低電力基地局から、前記第１の低電力基地局に関連付けられた１つまたは複数のＵＥのリストを受信することと、
第２の低電力基地局から、前記第２の低電力基地局における、アクセスの付与に対応する使用情報を、前記第１の低電力基地局に関連付けられた前記１つまたは複数のＵＥのうちのＵＥに送信することと、
前記第１の低電力基地局に関連付けられた前記ＵＥへのアクセスの前記付与に応答して、インセンティブクレジットを受信することと
を行うように構成される、低電力基地局。
［Ｃ４０］
ワイヤレス通信のために構成された低電力基地局において動作可能なコンピュータ可読記憶媒体であって、
コンピュータに、前記低電力基地局において共有機会が存在すると決定させるための命令と、
コンピュータに、隣接マクロセルにおいて共有機会が存在すると決定させるための命令と、
コンピュータに、エアインターフェースへのアクセスを、前記低電力基地局に関連付けられたＵＥのセットの外部のＵＥに提供させるための命令と、
コンピュータに、前記エアインターフェースへのアクセスの前記提供に応答してインセンティブクレジットを受信させるための命令と
を備える、コンピュータ可読記憶媒体。
［Ｃ４１］
コンピュータに、前記低電力基地局において前記共有機会が存在すると決定させるための前記命令は、コンピュータに、閾値よりも大きい量の余剰バックホール容量が、前記低電力セルにとって利用可能であると決定させるための命令を備える、
［Ｃ４０］に記載のコンピュータ可読記憶媒体。
［Ｃ４２］
コンピュータに、前記低電力基地局において前記共有機会が存在すると決定させるための前記命令は、コンピュータに、前記エアインターフェースへの干渉が、前記低電力基地局に関連付けられた前記ＵＥセットの外部のＵＥに対する、前記エアインターフェースへのアクセスの前記提供によって低減されると決定させるための命令を備える、
［Ｃ４０］に記載のコンピュータ可読記憶媒体。
［Ｃ４３］
コンピュータに、前記隣接マクロセルにおいて前記共有機会が存在すると決定させるための前記命令は、コンピュータに、前記ＵＥを前記隣接マクロセルから前記低電力基地局にオフロードすることは、前記隣接マクロセルにおける輻輳または干渉を、所定の閾値よりも大きい量だけ低減すると決定させるための命令を備える、
［Ｃ４０］に記載のコンピュータ可読記憶媒体。
［Ｃ４４］
前記インセンティブクレジットは、
前記隣接マクロセルに対応するネットワークにおいて使用するための追加もしくは増大データ割当て量、前記隣接マクロセルに対応する前記ネットワークによって与えられる増大最小データレート保証、Ｗｉ−Ｆｉホットスポットアクセスのための割引価格もしくはクレジット、商品もしくはサービスを購入するための報酬ポイントもしくはクレジット、または前記低電力基地局におけるバックホール通信のためのより高いデータレートを備える、
［Ｃ４０］に記載のコンピュータ可読記憶媒体。
［Ｃ４５］
前記インセンティブクレジットは、少なくとも部分的には、前記ＵＥと関連付けられている低電力基地局によって決定されたインセンティブを備える、
［Ｃ４０］に記載のコンピュータ可読記憶媒体。
［Ｃ４６］
前記インセンティブクレジットは、前記ＵＥと関連付けられている前記低電力基地局における、優先されるスケジューリングまたは干渉緩和を備える、
［Ｃ４５］に記載のコンピュータ可読記憶媒体。
［Ｃ４７］
前記インセンティブクレジットは、前記エアインターフェースへのアクセスの前記提供によって与えられる、前記隣接マクロセルに対応するネットワークへの寄与の量に応じた量である、
［Ｃ４０］に記載のコンピュータ可読記憶媒体。
［Ｃ４８］
前記ネットワークへの寄与の前記量は、前記エアインターフェースへのアクセスの前記提供から生じる、前記隣接マクロセルにおける容量もしくは輻輳の低減の量、または前記エアインターフェースへのアクセスの前記提供から生じる、前記隣接マクロセルと前記低電力基地局との間の干渉の低減の量に対応する、
［Ｃ４７］に記載のコンピュータ可読記憶媒体。
［Ｃ４９］
前記インセンティブクレジットは、３ＧＰＰリリース１０以降の仕様において定義される拡張セル間干渉協調（ｅＩＣＩＣ）特徴を可能にするための認可を備える、
［Ｃ４０］に記載のコンピュータ可読記憶媒体。
［Ｃ５０］
前記インセンティブクレジットは、前記低電力基地局のセルカバレージエリアの少なくとも一部において追加無線リソースを使用するための認可を備える、
［Ｃ４０］に記載のコンピュータ可読記憶媒体。
［Ｃ５１］
前記インセンティブクレジットは、３ＧＰＰリリース１０以降の仕様において定義されるセル範囲拡大特徴を可能にするための認可を備える、
［Ｃ４０］に記載のコンピュータ可読記憶媒体。
［Ｃ５２］
低電力基地局へのアクセスの供給を奨励するために構成された前記低電力基地局において動作可能なコンピュータ可読記憶媒体であって、
コンピュータに、第１の低電力基地局から、前記第１の低電力基地局に関連付けられた１つまたは複数のＵＥのリストを受信させるための命令と、
コンピュータに、第２の低電力基地局から、前記第２の低電力基地局における、アクセスの付与に対応する使用情報を、前記第１の低電力基地局に関連付けられた前記１つまたは複数のＵＥのうちのＵＥに送信させるための命令と、
コンピュータに、前記第１の低電力基地局に関連付けられた前記ＵＥへのアクセスの前記付与に応答して、インセンティブクレジットを受信させるための命令と
を備える、コンピュータ可読記憶媒体。
【図１】
0005981055.tif 000002
【図２】
0005981055.tif 000003
【図３】
0005981055.tif 000004
【図４】
0005981055.tif 000005
【図５】
0005981055.tif 000006
【図６】
0005981055.tif 000007
【図７】
0005981055.tif 000008
【図８】
0005981055.tif 000009
【図９】
0005981055.tif 000010
【図１０】
0005981055.tif 000011
【図１１】
0005981055.tif 000012
【図１２】
0005981055.tif 000013